(57)【要約】      （修正有）【課題】携帯記録媒体に記憶された情報を出力するべく健診機器に送信することで診察を行いやすくする。【解決手段】健診機器で測定された健診情報が記録される携帯記録媒体と通信可能な健診情報処理装置であって、複数の健診科目の中から健診科目の選択を受け付ける受付手段と、前記携帯記録媒体から、前記健診機器で測定された健診情報を取得する取得手段と、前記取得手段で取得した健診情報を、前記受付手段で受け付けた健診科目に対応する第１の健診機器で測定された第１の健診情報と出力すべく当該第１の健診機器に送信する送信手段と、を備える。【選択図】図２７
2010198583.tif 000002
【特許請求の範囲】
【請求項１】
健診機器で測定された健診情報が記録される携帯記録媒体と通信可能な健診情報処理装置であって、
複数の健診科目の中から健診科目の選択を受け付ける受付手段と、
前記携帯記録媒体から、前記健診機器で測定された健診情報を取得する取得手段と、
前記取得手段で取得した健診情報を、前記受付手段で受け付けた健診科目に対応する第１の健診機器で測定された第１の健診情報と出力すべく当該第１の健診機器に送信する送信手段と、
を備えることを特徴とする健診情報処理装置。
【請求項２】
前記受付手段で受け付けた健診科目に対応する第２の健診機器で測定された第２の健診情報を入力する入力手段と、
を更に備え、
前記送信手段は、更に、前記入力手段で第２の健診情報が入力された後に、当該第２の健診情報を、前記受付手段で受け付けた健診科目に対応する第１の健診機器に送信することを特徴とする請求項１に記載の健診情報処理装置。
【請求項３】
前記入力手段で入力された第２の健診情報を、前記携帯記録媒体に記憶させるべく送信する記録送信手段と、
を更に備えることを特徴とする請求項１又は２に記載の健診情報処理装置。
【請求項４】
前記第１の健診機器で測定された第１の健診情報の入力を受け付ける健診情報受付手段と、
を更に備え、
前記記録送信手段は、更に、前記健診情報受付手段で受け付けた第１の健診情報を、前記携帯記録媒体に記憶させるべく送信することを特徴とする請求項３に記載の健診情報処理装置。
【請求項５】
健診科目に対応して、前記送信手段を実行するプログラム、又は前記送信手段を実行することなく前記健診情報受付手段を実行するプログラムを記憶する記憶手段と、
前記記憶手段に記憶された、前記受付手段で受け付けた健診科目に対応した前記プログラムを実行することにより前記送信手段による処理を実行するかを決定する決定手段と、
を更に備えることを特徴とする請求項４に記載の健診情報処理装置。
【請求項６】
前記取得手段は、更に、受診者を識別する受診者情報を取得し、
前記送信手段は、更に、前記取得手段で取得した受診者情報を出力すべく当該第１の健診機器に送信することを特徴とする請求項１乃至５のいずれか１項に記載の健診情報処理装置。
【請求項７】
健診機器で測定された健診情報が記録される携帯記録媒体と通信可能な健診情報処理装置における健診情報処理方法であって、
前記健診情報処理装置の受付手段が、複数の健診科目の中から健診科目の選択を受け付ける受付工程と、
前記健診情報処理装置の取得手段が、前記携帯記録媒体から、前記健診機器で測定された健診情報を取得する取得工程と、
前記健診情報処理装置の送信手段が、前記取得工程で取得した健診情報を、前記受付工程で受け付けた健診科目に対応する第１の健診機器で測定された第１の健診情報と出力すべく当該第１の健診機器に送信する送信工程と、
を備えることを特徴とする健診情報処理方法。
【請求項８】
健診機器で測定された健診情報が記録される携帯記録媒体と通信可能な健診情報処理装置を、
複数の健診科目の中から健診科目の選択を受け付ける受付手段と、
前記携帯記録媒体から、前記健診機器で測定された健診情報を取得する取得手段と、
前記取得手段で取得した健診情報を、前記受付手段で受け付けた健診科目に対応する第１の健診機器で測定された第１の健診情報と出力すべく当該第１の健診機器に送信する送信手段として機能させることを特徴とするプログラム。
【請求項９】
健診機器で測定された健診情報が記録される携帯記録媒体と通信可能な健診情報処理装置を備える健診情報処理システムであって、
前記健診情報処理装置は、
複数の健診科目の中から健診科目の選択を受け付ける受付手段と、
前記携帯記録媒体から、前記健診機器で測定された健診情報を取得する取得手段と、
前記取得手段で取得した健診情報を、前記受付手段で受け付けた健診科目に対応する第１の健診機器で測定された第１の健診情報と出力すべく当該第１の健診機器に送信する送信手段と、
を備えることを特徴とする健診情報処理システム。
【発明の詳細な説明】
【技術分野】
【０００１】  本発明は、健診情報処理装置、健診情報処理方法、プログラム、健診情報処理システムに関し、特に、各種健診機器で測定された健診情報を端末経由で各受診者が携帯する記録媒体に記録して健診情報の回収を行う健診情報処理システムに関する。
【背景技術】
【０００２】  現在、学校や会社等に医者や看護士等（以下、「測定者」という。）が出張して健康診断を行う、いわゆる出張健診が一般的に行われている。
例えば、従来の出張健診では、測定者が行った健診結果（健診情報）を健康診断票（紙）に記載していたが、近年、情報収集の効率化等のため、健康診断票（紙）の代わりにＩＣカード等の携帯可能な記録装置を用いている（例えば、特許文献１参照。）。
【特許文献１】特開平１１−２１３０６１号公報
【発明の開示】
【発明が解決しようとする課題】
【０００３】  しかしながら、従来、診断を行うために、例えば心電図計測器から健診結果を出力する際に、他の健診結果（健診情報）や受信者情報等を出力することが出来なかった。そのため、健康診断を行う者が適正な診断を行うことが困難であった。【０００４】  また、例えば、適正な心電図の診断を行うために必要な健診科目の健診情報を、心電図での健診で出力される用紙（健診結果）に印字させるために、心電図の健診の前に必要な健診科目の健診を行わせることが困難であった。【０００５】  また、健診科目によっては、診察を行うために他の健診結果及び／又は受診者情報等を必要としないものがあるが、従来、健診科目に応じて、他の健診結果及び／又は受診者情報等を健診機器に送信するかを切り換えること出来なかった。【０００６】  本発明は、携帯記録媒体に記憶された情報を出力するべく健診機器に送信することで診察を行いやすくすることを目的とする。
【課題を解決するための手段】
【０００７】  本発明は、健診機器で測定された健診情報が記録される携帯記録媒体と通信可能な健診情報処理装置であって、複数の健診科目の中から健診科目の選択を受け付ける受付手段と、前記携帯記録媒体から、前記健診機器で測定された健診情報を取得する取得手段と、前記取得手段で取得した健診情報を、前記受付手段で受け付けた健診科目に対応する第１の健診機器で測定された第１の健診情報と出力すべく当該第１の健診機器に送信する送信手段と、を備えることを特徴とする。【０００８】  本発明は、健診機器で測定された健診情報が記録される携帯記録媒体と通信可能な健診情報処理装置における健診情報処理方法であって、前記健診情報処理装置の受付手段が、複数の健診科目の中から健診科目の選択を受け付ける受付工程と、前記健診情報処理装置の取得手段が、前記携帯記録媒体から、前記健診機器で測定された健診情報を取得する取得工程と、前記健診情報処理装置の送信手段が、前記取得工程で取得した健診情報を、前記受付工程で受け付けた健診科目に対応する第１の健診機器で測定された第１の健診情報と出力すべく当該第１の健診機器に送信する送信工程と、を備えることを特徴とする。【０００９】  本発明は、健診機器で測定された健診情報が記録される携帯記録媒体と通信可能な健診情報処理装置を、複数の健診科目の中から健診科目の選択を受け付ける受付手段と、前記携帯記録媒体から、前記健診機器で測定された健診情報を取得する取得手段と、前記取得手段で取得した健診情報を、前記受付手段で受け付けた健診科目に対応する第１の健診機器で測定された第１の健診情報と出力すべく当該第１の健診機器に送信する送信手段として機能させることを特徴とする。
【発明の効果】
【００１０】  本発明によれば、携帯記録媒体に記憶された情報を出力するべく健診機器に送信することで診察を行いやすくさせることが可能となる。
【発明を実施するための最良の形態】
【００１１】  以下、本発明の実施の形態について図面を参照しながら説明する。【００１２】  まず、本発明の実施の形態に係る健診情報処理システムについて説明する。【００１３】  図１は、本実施の形態に係る健診情報処理システムのシステム構成を示すブロック図である。【００１４】  図１において、１００は受付端末である。受付端末１００は、ハンディターミナル又はノート型パーソナルコンピュータ等であり、記録媒体１６０のためのリーダ／ライタ２０７（図２）が設けられている。受付端末１００は、このリーダ／ライタ２０７を介して、記録媒体１６０にデータを記憶させることや、記録媒体１６０に記憶されたデータを読み出して取得することができる。【００１５】  また、受付端末１００には、不図示のバーコードリーダが接続されている。【００１６】  そして、受付端末１００のメモリ２０２（図２）には、受診予定の全ての受診者毎に、受診者ＩＤ（受診者を識別する識別情報）、健診番号、氏名、性別、年齢、生年月日等の受診者情報が記憶されている。【００１７】  更に、受付端末１００のメモリ２０２には、受診予定の全ての受診者毎に、健診科目ＩＤ（健診科目を識別する識別情報）、今回の健康診断で受診予定の健診科目と受診予定ではない健診科目とを識別する識別情報（フラグ）（健診予定情報）が、それぞれ記憶されている（図１０）。これら受診者情報と健診科目ＩＤと健診予定情報とが記憶されたテーブル（図１０）を健診テーブルと呼ぶことにする。ここで、健診科目とは、例えば、身長・体重、血圧、腹囲、視力等の健診の種類（区分）のことである。【００１８】  また、更に、受付端末１００のメモリ２０２（図２）には、受診予定の全ての受診者毎に、各健診科目の過去の健診結果（健診情報とも言う）が記憶されている（図１１）。【００１９】  この各健診科目の過去の健診結果が記憶されたテーブル（図１１）を過去健診テーブルと呼ぶことにする。【００２０】  また、受付端末１００のメモリ２０２（図２）には、上記バーコードリーダにより読み取られたバーコードを識別して文字データに変換する変換プログラムと、後述する受付処理プログラム（図３）とが記憶されている。【００２１】  管理端末１５０は、受付端末１００と同様に、ハンディターミナル又はノート型パーソナルコンピュータ等であり、記録媒体１６０のためのリーダ／ライタ２０７（図２）が設けられている。管理端末１５０は、このリーダ／ライタ２０７を介して、記録媒体１６０にデータを記憶させることや、記録媒体１６０に記憶されたデータを読み出して取得することができる。【００２２】  また、管理端末１５０のメモリ２０２（図２）には、健診結果ファイルと、後述する回収処理プログラム（図９）とが記憶されている。【００２３】  健診端末Ａ（１１１）〜Ｎ（１２９）（健診情報処理装置）は、ハンディターミナル又はノート型パーソナルコンピュータ等であり、記録媒体１６０のためのリーダ／ライタ２０７（図２）が設けられている。健診端末は、このリーダ／ライタ２０７を介して、記録媒体１６０にデータを記憶させることや、記録媒体１６０に記憶されたデータを読み出して取得することができる。【００２４】  健診端末Ａ（１１１）〜Ｎ（��２９）のメモリ２０２（図２）には、図４に示す処理を行う制御プログラムと、図５乃至図７並びに図１９及び図２５に示す処理を行う処理プログラムと、各プログラムで使用する画面情報（ディスプレイ２０５に図１７乃至図１８に示す画面を表示するためのデータであり、各プログラムの中に含めてもよい）と、メニュー（図１７）に表示される各健診科目とそれに対応した処理プログラムとを関連付けるための関連付情報ファイル（図１４乃至図１５）と、各健診機器（１１０〜１２８）の機器設定情報（健診端末Ａ（１１１）〜Ｎ（１２９）の設定情報）と、各健診機器とのデータのやり取りに用いられる通信プログラム（Ｂｌｕｅｔｏｏｔｈ，ＩｒＤＡ，ＴＣＰ／ＩＰ等の各通信手順やプロトコルに対応した通信プログラム）と、が記憶されている。ここで、関連付情報ファイルを記憶させているのは、健診科目毎に処理プログラムが異なるためである。【００２５】  なお、上記各通信プログラムの少なくとも一部をオペレーティングシステムプログラムに含めてもよい。【００２６】  各健診端末の全てに同一のプログラム（制御プログラム、健診科目毎に対応した処理プログラム、健診科目毎又は健診機器毎に対応した通信プログラム及びこれらプログラムにより表示される画面の画面情報や関連付情報ファイル）と全健診機器の機器設定情報とが記憶されているので、全ての健診端末をどの健診科目でも使用することが可能となる。【００２７】  すなわち、健診端末に表示されたメニュー画面の複数の健診科目の中から一つの健診科目を選択するだけで、任意の健診端末を任意の健診科目で使用することができる。【００２８】  健診機器Ａ（１１０）〜Ｎ（１２８）は、健診に使用する、例えばＸ線撮影装置や血圧計、心電図測定器等の各種検査機器であり、健診端末Ａ（１１１）〜Ｎ（１２９）と通信可能に接続されている。【００２９】  健診機器は、健診端末との通信を可能にするために、例えばＢｌｕｅｔｏｏｔｈやＩｒＤＡ等の無線又は、ＵＳＢやＩＥＥＥ１３９４、パラレル転送用ケーブル等の有線の外部インタフェースを備えている。このように外部インタフェースの種類が健診機器を提供している会社により異なることが多いため、健診端末のメモリ２０２に複数の通信プログラムを記憶している。【００３０】  記録媒体１６０は携帯可能な記録媒体（携帯記録媒体とも言う）であって、例えばＲＦ−ＩＤやＩＣカード等である。この携帯記録媒体は、後述する図１２、図１３の情報を記憶することができる。【００３１】  図１において、健診機器Ａ１１０と健診端末Ａ１１１のように２つが実線で結ばれている場合は、両者がケーブル（有線）で接続されていることを示している。健診機器Ｄ１１６と健診機器Ｅ１１７は、それぞれ健診端末Ｄ１１８と通信可能に接続されている。また、健診機器Ｂ１１２と健診端末Ｂ１１３のように２つが破線で結ばれている場合は両者が無線や赤外線で接続されていることを示している。また、健診機器Ｃ１１４と健診端末Ｃ１１５のように２つが結ばれていない場合は両者が通信可能に接続されていないこと示す。このような場合は、健診機器Ｃ１１４で測定された健診結果（検査結果）を測定者が見て、測定者がその結果を健診端末Ｃ１１５に手入力し、健診端末Ｃ１１５が手入力されたデータを記録媒体１６０に記録させている。【００３２】  図２は、図１における各種端末（受付端末、各健診端末、管理端末）のハードウェア構成を示すブロック図である。【００３３】  図２において、ＣＰＵ２０１、メモリ２０２、ＲＯＭ２０３、通信アダプタ２０４、ディスプレイ２０５、キーボード２０６、及びリーダ／ライタ２０７はそれぞれシステムバス２００を介して互いに接続されている。【００３３】  システムバス２００は、例えば、ＰＣＩバス、ＡＧＰバス、メモリバス等を意味する。また、図２では、各バス間の接続用チップやキーボードインタフェースやディスプレイインタフェース等の各種インタフェースは省略されている。【００３４】  ＣＰＵ２０１は、四則演算や比較演算等の各種の演算や、ハードウェアやソフトウェアの制御を行う。メモリ２０２は、オペレーティングシステムや以下に示す各端末で実行される処理のステップに対応する部分を実行するためのアプリケーションプログラム（画面表示のための画面情報を含む）や、前述した各種データやファイルを記憶しており、本実施の形態ではメモリ２０２は不揮発性のメモリを使用している。【００３５】  なお、各種端末に不図示のハードディスクや、大容量フラッシュメモリ等により構成されるいわゆるシリコンディスクを更に備え、このハードディスクやシリコンディスクにオペレーティングシステムのプログラムやアプリケーションプログラム等を記憶し、実行時にはこのハードディスクやシリコンディスクから各プログラムをメモリ２０２に読み出して実行する形態も可能である。【００３６】  ＲＯＭ２０３には、オペレーティングシステムと協働してハードディスク等への入出力を司るいわゆるＢＩＯＳ等が記憶される。【００３７】  通信アダプタ２０４は、ＣＰＵ２０１によって制御されるオペレーティングシステムの通信プログラムと協働して不図示の通信回線を介した外部との通信を行う。【００３８】  ディスプレイ２０５（表示部）は、画面を表示し、タッチパネルを兼ねており、キーボード２０６は各種指示や数値を入力するために用いられる。【００３８】  リーダ／ライタ２０７は、記録媒体１６０からデータを読み込んだり、逆に記録媒体１６０にデータを書き込むためのものである。なお、読み込み／書き込みの方法は、記録媒体１６０をリーダ／ライタ２０７に挿入／接触させる接触式であるか、データの読み書きのために記録媒体１６０とリーダ／ライタ２０７とが接触する必要がない非接触式であるかは問わない。また、リーダ／ライタ２０７は記録媒体１６０の種類に対応してデータの記憶／更新ができるものを使用する。【００３９】  次に、図１における健診端末（健診情報処理装置）が備える機能について説明する。【００４０】  図２６は、図１における健診端末（健診情報処理装置）が備える機能の構成を示すブロック図である。【００４１】  図２６において、健診端末は、健診科目を識別する識別情報を記憶する記憶部２６０１と、複数の健診科目の中から健診科目の選択を受け付ける第１の受付部２６０２と、健診機器で測定された健診情報を当該健診機器から受け付ける第２の受付部２６０３と、第１の受付部２６０２で受け付けた健診科目の識別情報を記憶部２６０１から取得する識別情報取得部２６０４と、識別情報取得部２６０４で取得された識別情報に紐付いた過去の健診情報を携帯記録媒体から読み出す読出部２６０５と、読出部２６０５により読み出された過去の健診情報と第２の受付部２６０３で受け付けた健診情報とを同一画面に表示する表示制御部２６０６と、第２の受付部２６０３で受け付けた健診情報を携帯記録媒体へ送信する送信部２６０７と、第２の受付部２６０３で受け付けた健診情報と第１の閾値とに基づいて健診機器の異常を警告する第１の警告部２６０８と、第２の受付部２６０３で受け付けた健診情報と第２の閾値とに基づいて受診者の病気を警告する第２の警告部２６０９と、読出部２６０５により読み出された過去の健診情報と第２の受付部２６０３で受け付けた健診情報と第３の閾値とに基づいて受診者の病気の疑いを警告する第３の警告部２６１０とを備える。【００４２】  次に、図１における受付端末が実行する受付処理について説明する。【００４３】  図３は、図１における受付端末が実行する受付処理の手順を示すフローチャートである。本処理は、受付端末１００のＣＰＵ２０１がメモリ２０２に記憶された受付処理プログラムを読み出して実行することにより実現される。【００４４】  図３において、まず、受付端末１００のＣＰＵ２０１は、受付端末１００のディスプレイ２０５に図１６に示すような受付入力画面を表示する（ステップＳ３０１）。【００４５】  そして、受付端末１００のＣＰＵ２０１は、受付端末１００のユーザにより当該受付入力画面の受診者情報読込ボタン１６７が押下されることにより受診者情報の読み込み指示を受け付けると（ステップＳ３０２）、受付端末１００のメモリ２０２に記憶された全受診者の受診者情報を読み出す（ステップＳ３０３）。【００４６】  そして、図１６に示す受付入力画面の受診票スキャン１６５ボタンが押下されることにより受診票の読み込み指示がなされると（ステップＳ３０４）、受付端末１００のＣＰＵ２０１は、受付端末１００と通信可能に接続された不図示のスキャナにセットされた、受診者が持参した受診票に記載されたバーコード（各受診者が自覚症状等を記入する一種の問診票）をスキャンして読み込む。【００４７】  そして、受付端末１００のＣＰＵ２０１は、読み取ったバーコードを変換プログラムによって受診者ＩＤに変換して受付端末１００のメモリ２０２に記憶する（ステップＳ３０５）。【００４８】  次に、受付端末１００のＣＰＵ２０１は、ステップＳ３０５で変換された受診者ＩＤがステップＳ３０３で読み出した受診者情報の中に含まれているか否かを判別する（ステップＳ３０６）。【００４９】  受付端末１００のＣＰＵ２０１は、ステップＳ３０５で変換された受診者ＩＤがステップＳ３０３で読み出した受診者情報の中に含まれていないと判別した場合は（ステップＳ３０６でＮＯ）、エラーメッセージを受付端末１００のディスプレイ２０５に表示する（ステップＳ３０７）。その後、受付入力画面（図１６）を表示し、ステップＳ３０４に戻る。【００５０】  一方、ステップＳ３０５で変換された受診者ＩＤがステップＳ３０３で読み出した受診者情報の中に含まれていると判別した場合は（ステップＳ３０６でＹＥＳ）、健診テーブル（図１０）と過去健診テーブル（図１１）との中から、当該受診者ＩＤに対応する、受診者情報と健診科目ＩＤと健診予定情報と各健診科目の過去の健診情報（健診結果）とを検索して読み出す（ステップＳ３０８）。【００５１】  そして、受付端末１００のＣＰＵ２０１は、読み出された、受診者情報と健診科目ＩＤと健診予定情報と各健診科目の過去の健診情報（健診結果）とを携帯記録媒体１６０に記憶させるべく送信して（ステップＳ３０９）、本処理を終了する。図１３は、このようにして携帯記録媒体１６０に記録させたデータの一例である。【００５２】  ここで、図１０、図１１、図１３のテーブルについて説明する。【００５３】  まず、図１０のテーブルについて説明する。【００５４】  図１０は、受付端末１００のメモリ２０２に記憶された健診テーブルの一例である。【００５５】  健診テーブルには、受診者ＩＤと、該受診者ＩＤに対応する受診者の氏名、性別等の受診者情報と、健診科目毎に今回の健診で受診が予定されているか否かを示す識別情報（受診予定の健診科目には「○」が、また、受診予定ではない健診科目には「×」が識別情報として記憶されている）とが全ての受診予定者分、記憶されている。【００５６】  また、健診科目を識別する識別情報として健診科目ＩＤが健診科目毎に記憶されている。図１０の例では、健診科目ＩＤ「Ａ」は、健診科目「身長測定」を示し、健診科目ＩＤ「Ｂ」は、健診科目「体重測定」を示している。【００５７】  受診者ＩＤが「１」のデータを見てみると、氏名は「田中」であり、今回の健診では「身長測定」、「体重測定」、「血圧測定（上・下）」、「腹囲測定」を行わなければならないことがわかる。【００５８】  次に、図１１のテーブルについて説明する。【００５９】  図１１は、受付端末１００のメモリ２０２に記憶された過去健診テーブルの一例である。【００６０】  過去健診テーブルには、受診者ＩＤと、該受診者ＩＤに対応した受診者の各健診科目の以前（前回）の健診結果とが全ての受診予定者分、記憶されている。【００６１】  過去健診テーブルも健診テーブルと同様に各健診科目毎に健診科目を識別する識別情報を記憶している。【００６２】  ここで、図１１の受診者ＩＤが「１」のデータを見てみると、田中さん（氏名）の過去の健診結果は、「身長」が１７０ｃｍ、「体重」が５０Ｋｇ、「血圧（上）」が２５０ｍＨｇ、「血圧（下）」が５０ｍＨｇ、「腹囲」が８０ｃｍ、「視力（右）」が１．５、「視力（左）」が１．５であることがわかる。【００６３】  次に、図１３のテーブルについて説明する。【００６４】  図１３は、図３におけるステップＳ３０９で受付端末１００から携帯記録媒体１６０に記憶されたテーブルの一例であって、受診者情報と、全ての健診科目ＩＤと、該健診科目ＩＤ毎に過去の健診結果（健診情報）と、健診予定情報とを含んでいる。なお、図８のテーブルは受診予定ではない健診科目の情報を携帯記録媒体１６０に記憶させない場合の例である。【００６５】  図１３の例では、受診者ＩＤが「１」の氏名は「田中」であり、性別は男性であることを示している。また、健診科目が「身長測定」を示す健診科目ＩＤ「Ａ」���紐付いて、今回の健診で受診予定であることを示す識別子「○」（健診予定情報）が記憶されている。そして、「身長測定」を示す健診科目ＩＤ「Ａ」に紐付いて、過去（前回）の健診結果である「１７０ｃｍ」が記憶されている。【００６６】  健診科目「体重測定」についても同様に、健診科目ＩＤ「Ｂ」に紐付いて、今回の健診で受診予定であることを示す識別子「○」（健診予定情報）が記憶されている。そして、「体重測定」を示す健診科目ＩＤ「Ｂ」に紐付いて、過去（前回）の健診結果である「５０Ｋｇ」が記憶されている。【００６７】  また、健診科目が「視力測定（右目）」を示す健診科目ＩＤ「Ｆ」に紐付いて、今回の健診で受診予定ではないことを示す識別子「×」（健診予定情報）が記憶されている。そして、「視力測定（右目）」を示す健診科目ＩＤ「Ｆ」に紐付いて、過去（前回）の健診結果である「１．５」が記憶されている。【００６８】  以上のように、ステップＳ３０９では、健診テーブル（図１０）と過去健診テーブル（図１１）とから、ステップＳ３０５で変換された受診者ＩＤのみのレコードを抽出した、受診者ＩＤの受診者情報と、健診科目ＩＤと、該健診科目ＩＤ毎の、過去の健診結果（健診情報）と、健診予定情報とを携帯記録媒体１６０に記録させる。【００６９】  なお、記録媒体１６０にコントローラが内蔵されている場合、記録媒体１６０のコントローラは、ステップＳ３０９で送信されたデータを記録媒体１６０の不図示の記憶部に書込む（記憶する）。【００７０】  また、図１２は、携帯記録媒体１６０に記憶されるテーブルの一例であり、図１３に記憶された健診科目ＩＤと同じ健診科目ＩＤと、当該健診科目ＩＤ毎に、今回の健診で受診済みの健診科目を識別する識別情報（図１２の例では「○」）や、今回の健診でまだ受診していない健診科目を識別する識別情報（図１２の例では「×」）や、今回の健診で後日再度健診を受診しなければならない健診科目を識別する識別情報（図１２の例では「―」）や、今回の健診で当日中に再度健診を受診しなければならない健診科目を識別する識別情報（図１２の例では「＊」）が記憶されている。これらの識別情報を総称して健診経過情報と呼ぶことにする。【００７１】  また、受診済みで、健診機器から得られた健診結果も、各健診科目毎に記憶することができる。【００７２】  ステップＳ３０９で送信されたデータを記録媒体１６０の不図示の記憶部に記憶させる場合、図１２に示す各健診科目ＩＤを記憶すると共に、各健診科目ＩＤに対応した健診経過情報と健診結果とを記憶する記憶領域を確保しておく。【００７３】  次に、図１における各健診端末が実行する制御処理について説明する。【００７４】  図４は、図１における各健診端末が実行する制御処理の手順を示すフローチャートである。なお、本処理は、各健診端末（健診端末Ａ（１１１）〜Ｎ（１２９））のＣＰＵ２０１がメモリ２０２に記憶される制御プログラムを読み出して実行することにより実現される。また、以下では健診端末Ａ１１１が実行する制御処理について説明するが、他の健診端末においても同様の処理が実行される。【００７５】  図４において、まず、健診端末Ａ１１１の電源が入り健診端末Ａ１１１が起動されると���健診端末Ａ１１１のＣＰＵ２０１は、図１７に示すような健診システムメニューを初期メニュー画面としてディスプレイ２０５に表示する（ステップＳ４０１）。具体的には、ＣＰＵ２０１は、図１４に示すような関連付情報ファイルをメモリ２０２から読み出して、該読み出した関連付情報ファイル内のメニュー情報（メニューＮｏ．、メニュー名（健診科目）等）に基づいて図１７に示す健診システムメニューを表示するように制御する。【００７６】  図１４は、関連付情報ファイルの一例であり、図１４に示すように関連付情報ファイルは、メニューＮｏ．、メニュー名（健診科目）、メニュー（健診科目）を選択した場合に実行する処理プログラム名、選択された健診科目の健診機器の設定情報を記録した機器情報ファイル名、選択された健診科目に対応する健診科目ＩＤ等の情報を含む。【００７７】  図１７は、健診端末の初期メニュー画面の一例である。図１７の初期メニュー画面における各種設定ボタン１７２が押下されると、サブメニュー（図示しない）が表示される。そして、表示されたサブメニューにて入力や編集を行うことで、ＢｌｕｅｔｏｏｔｈやＩｒＤＡ等の各種通信手順の設定や新たな健診機器の設定ファイルの読込み等を実行することができ、これらの各設定データはメモリ２０２に記憶される。【００７８】  図４に戻り、各健診科目のプログラムを起動するためのタッチボタンである図１７に示す健診システムメニューの「１．視力検査」〜「１１．癌簡易検査」のいずれかのボタン（例えば「１０．身長・体重」ボタン）が押下されて、選択ボタン１７４のボタンが押下されることによりメニューが選択されると（ステップＳ４０２）、選択されたメニューのプログラムに対応する第２の閾値（図２３）及び第３の閾値（図２４）を取得する（ステップＳ４０３）。また、このときに、選択されたメニュー（健診科目）に対応する健診科目ＩＤを図１４の関連付け情報ファイルから取得する。【００７９】  即ち、ＣＰＵ２０１は、ディスプレイ２０５に表示される複数の健診メニュー（例えば、「１．視力検査」〜「１１．癌簡易検査」など）から、いずれかの健診メニューが、ユーザによって選択されることを受付ける。そして、ＣＰＵ２０１は、ユーザによって選択された健診メニューに対応する第２の閾値と第３の閾値とを取得する。【００８０】  ここで、第２の閾値とは、健診機器から取得した測定値（データ）から、明らかに病気であるか否かを判定するための値である。即ち、測定値と第２の閾値とを比較することで、病気であるか否かを判定することが可能である。また、第３の閾値とは、今回、健診機器から取得した測定値（データ）と、前回、測定した際の測定値との差を算出し、算出された差から、健康状態が悪化しているか否かを判定するための値である。即ち、当該差と第３の閾値とを比較することで、健康状態が悪化しているか否かを判定することが可能である。図２３、図２４は、それぞれ、全ての健診科目における第２の閾値と第３の閾値とを示したデータである。ステップＳ４０２で選択されたメニューが「身長・体重」（メニューＮＯ．が「１０」）であれば、当該「身長・体重」に対応するプログラム名「ｐｒｏｈｉｇｗｅｉ」が実行される（図１４）。そして、全ての健診科目における第２の閾値（図２３）と第３の閾値（図２４）とから、健診科目「身長・体重」に対応する第２の閾値及び第３の閾値のみを取得する。【００８１】  次いで、健診端末Ａ１１１のＣＰＵ２０１は、メモリ２０２に記憶されている関連付け情報ファイルに図１５に示すように同一選択されたメニューに対して複数のメニューＮｏ．（１−１と１−２）が存在するか否かを判別する（ステップＳ４０４）。図１５は、関連付情報ファイルの他の例である。【００８２】  ステップＳ４０４の判別の結果、複数のメニューＮｏ．が存在するとき（ステップＳ４０４でＹＥＳ）、つまり例えばメニューＮｏ．に枝番がついている場合は、この複数の機器情報ファイルに対応する機器情報ファイル名から機器名称を読み出して不図示の画面に表示し（ステップＳ４０５）、複数のうちの一つがタッチにより選択されると（ステップＳ４０６）、処理をステップＳ４０７に進める。【００８３】  ステップＳ４０４の判別の結果、複数のメニューＮｏ．が存在しないときは（ステップＳ４０４でＮＯ）、そのまま処理をステップＳ４０７に進める。【００８４】  次いで、ステップＳ４０７では、選択されたメニューＮｏ．（及び機器）に基づいて、メモリ２０２に記憶されている図１４又は図１５に示す関連付け情報ファイルの選択されたメニューＮｏ．に該当する機器情報ファイル名をメモリ２０２のワークエリアに読込む。例えば、関連付け情報ファイルが図１４に示す内容であり、「１０．身長・体重」が選択された場合は、健診端末Ａ１１１のＣＰＵ２０１は、選択に応じて機器情報ファイル名「ｆａｓｈｉｇｗｅｉ」及び対応する処理プログラム名「ｐｒｏｈｉｇｗｅｉ」を読み込む。【００８５】  次いで、ステップＳ４０８では、読み込まれた機器情報ファイル名の機器情報ファイルを読み込む。ここで、機器情報ファイルとは、機器毎に設定された情報であって、例えば、当該機器毎と通信するために必要な設定情報や、該機器毎の測定可能なデータ範囲（図２２に示す第１の閾値テーブルが機器毎に設定されている）などがある。【００８６】  次いで、ステップＳ４０９では、予め設定された全ての健診科目のうち、ステップＳ４０２で選択されたメニューに対応し、且つステップＳ４０６で選択された機器に対応する第１の閾値を第１の閾値テーブル（図２２）から取得する（ステップＳ４０９）。具体的には、ステップＳ４０６で選択された機器に対応する第１の閾値テーブル（図２２）から、ステップＳ４０２で「身長・体重」が選択されると、第１の閾値として、「上限：２５０，下限：０」のみを取得する。【００８７】  次いで、健診端末Ａ１１１のＣＰＵ２０１は、ステップＳ４０７で読み込んだプログラム名のプログラムを実行し（ステップＳ４１０）、処理プログラム画面をディスプレイ２０５に表示して（ステップＳ４１１）、本処理を終了する。【００８８】  本処理におけるステップＳ４１０では、ステップＳ４０２で「視力」が選択されると、処理プログラム名「ｐｒｏｅｙｓｇｈｔ」を実行し、ステップＳ４１１では図１８に示すような視力を測定するための画面をディスプレイ２０５に表示する。図１８は、健診端末の処理プログラム画面の一例である��【００８９】  図４の制御処理によれば、操作者が選択したメニューに対応する処理プログラムが実行されて、所望の健診科目における処理を実行できる。【００９０】  次に、本実施の形態に係る健診情報処理システムが実行する健診情報処理について説明する。【００９１】  図５は、本実施の形態に係る健診情報処理システムが実行する健診情報処理の手順を示すシーケンス図である。なお、図５のステップＳ５０１及びステップＳ５０２、ステップＳ５０４乃至ステップＳ５１１、ステップＳ５１７乃至ステップＳ５２２は各健診端末のＣＰＵ２０１がメモリ２０２に記憶される、健診科目の処理プログラムを読み出して実行することにより実現される。また、ステップＳ５１２乃至ステップＳ５１６は各健診機器のＣＰＵ２０１がメモリ２０２に記憶されるプログラムを読み出して実行することにより実現される。【００９２】  以下、健診端末Ａ１１１、健診機器Ａ１１０で実行されるものとして説明する。また、以下では、図１７に示す健診システムメニューで「１．視力検査」ボタン１７１が押下され、図１８に示す視力測定用の画面が健診端末Ａ１１１のディスプレイ２０５に表示される場合について説明する。なお、本処理では、検査データの送信を健診機器側の操作で開始しているため（後述するステップＳ５１４）、図１８の画面にはデータ受信ボタンは存在しない。【００９３】  図５において、まず、健診端末Ａ１１１のＣＰＵ２０１は、健診端末Ａ１１１のリーダ／ライタ２０７にカード（記録媒体１６０）がかざされた（タッチされた）ことを判定する（ステップＳ５０１）。【００９４】  記録媒体１６０がリーダ／ライタ２０７にタッチされたことを判定すると、健診端末Ａ１１１のＣＰＵ２０１は、リーダ／ライタ２０７を介して記録媒体１６０に対して、ステップＳ４０３で取得した健診科目ＩＤに対応する、前回の健診結果（健診情報）と健診予定情報と健診経過情報とを読み出す処理を行う（ステップＳ５０２，５０３）。具体的には、健診端末Ａ１１１のＣＰＵ２０１は、まず、ステップＳ４０３で取得した健診科目ＩＤを記録媒体１６０に送信すると共に、当該健診科目ＩＤに対応する、前回の健診結果（健診情報）と健診予定情報と健診経過情報との読取要求を、記録媒体１６０に対して行う（ステップＳ５０２）。そして、健診端末Ａ１１１のＣＰＵ２０１は、記録媒体１６０から、受診者情報と、当該健診科目ＩＤに対応する前回の健診結果（健診情報）と、健診予定情報と、健診経過情報とを読み込む（ステップＳ５０３）。ここで、ステップＳ４０２で選択された健診科目に対応する健診科目ＩＤを、図１４又は図１５に示す関連付け情報ファイルから読み出し、図１３に記憶された当該健診科目ＩＤに紐付けられた前回の健診結果を取得する。【００９５】  次いで、健診端末Ａ１１１のＣＰＵ２０１は、ステップＳ５０３で受診者情報（受診者ＩＤ、性別、氏名など）を記録媒体１６０から取得できたか否かを判別し（ステップＳ５０４）、受診者ＩＤ、性別、氏名の何れか１つを取得できなかったと判別した場合は（ステップＳ５０４でＮＯ）、エラーメッセージ（警告画面）を表示して（ステップＳ５０５）、ステップＳ５０１の処理へ戻り、再度、記録媒体１６０の読込みを待機する。【００９６】  また、健診端末Ａ１１１のＣＰＵ２０１は、全ての受診者情報（受診者ＩＤ、性別、氏名）を取得できたと判別した場合は（ステップＳ５０４でＹＥＳ）、当該取得した受診者情報を健診端末Ａ１１１のディスプレイ２０５に表示する（ステップＳ５０６）。表示画面の一例を図１８に示す。図１８の表示画面の「ＩＤ」の部分に、受診者ＩＤが表示され、「氏名」の部分には、受診者の氏名が表示される。また、性別は、受診者ＩＤの右に表示されている。【００９７】  次いで、後述する図６の健診状況表示処理を実行して、健診状況を表示する（ステップＳ５０７）。【００９８】  次いで、健診端末Ａ１１１のＣＰＵ２０１は、記録媒体１０６に記憶されている、ステップＳ４０３で取得した健診科目ＩＤに対応する前回の健診結果を取得できたか否かの判別を行う（ステップＳ５０８）。そして、取得できたと判別した場合は（ステップＳ５０８でＹＥＳ）、取得した当該健診科目の前回の健診結果を健診端末Ａ１１１のディスプレイ２０５（表示部）に表示する（ステップＳ５１０）。【００９９】  一方、取得できなかった場合は（ステップＳ５０８でＮＯ）、後述する図７の過去健診情報表示処理を実行する（ステップＳ５０９）。【０１００】  そして、過去の健診結果を表示し（ステップＳ５１０）、健診機器Ａ１１０からの検査データ（今回の健診での検査結果）の受信待ち状態となり（ステップＳ５１１）、健診機器から検査データの受信を検知すると、処理をステップＳ５１７に進める。【０１０１】  一方、健診機器Ａ１１０は、検査データの計測（身長及び体重の計測）を実行し（ステップＳ５１２）、計測が終了した後に、健診機器Ａ１１０の表示部に表示された送信ボタン（図示しない）が測定者により押下されたことを認識すると（ステップＳ５１３）、健診機器Ａ１１０は、検査データを健診端末Ａ１１１に送信する（ステップＳ５１４）。【０１０２】  そして、健診機器Ａ１１０は、検査データを正常に送信し終わると（ステップＳ５１１）、検査データを健診機器Ａ１１０のメモリ（図示しない）内の保存エリアに記憶する（ステップＳ５１６）と共に、メモリのワークエリア中の最新の検査データ（表示用及び送信用の検査データ）をクリアして、次の計測開始を待つように制御する。【０１０３】  なお、健診機器Ａ１１０は、ステップＳ５１４において検査データの送信が正常に終了しなかった場合は、タイムアウトになるまで検査データを再送し、タイムアウトになった場合は、当該健診機器Ａ１１０のディスプレイ（図示しない）にエラーメッセージ（警告画面）を表示する。【０１０４】  次いで、健診端末Ａ１１１のＣＰＵ２０１は、健診機器Ａ１１０から送信された検査データ（健診結果）を受信（取得）すると、後述する図２５の警告処理を実行する（ステップＳ５１７）。【０１０５】  次いで、健診端末Ａ１１１のＣＰＵ２０１は、健診機器Ａ１１０から受信した検査データ（健診結果）を健診端末Ａ１１１のメモリ２０２内のワークエリアに記憶し（ステップＳ５１８）、健診端末Ａ１１１のディスプレイ２０５に当該健診結果を表示する（ステップＳ５１９）。図１８の例では、視力検査で裸眼の場合、今回の検査結果として���右の視力がそれぞれ「１．２」であることを表示している。また、前回の検査結果として、左右の視力がそれぞれ「１．５」であることを表示している。また、図１８の画面では途中ボタンと対象外ボタンとが表示される。【０１０６】  次いで、健診端末Ａ１１１のＣＰＵ２０１は、後述する図１９の再健診状況表示処理を実行して、健診状況の表示を行う（ステップＳ５２０）。【０１０７】  次いで、健診端末Ａ１１１のＣＰＵ２０１は、図１９の画面において登録ボタンが押下されると（ステップＳ５２１）、後述する図１９の処理におけるステップＳ１９０１で途中ボタンが押下されたと判別した場合は（ステップＳ１９０１でＹＥＳ）、ステップＳ４０３で取得した健診科目ＩＤ（健診科目）において当日中に再健診をしなければならないことを示すデータ「＊（当日中に再健診をしなければならないことを示す識別情報）」（健診経過情報）とステップＳ５１４で健診機器Ａ１１０から取得した健診結果とを記録媒体１６０に記録させるデータとしてセットして、ステップＳ４０３で取得した健診科目ＩＤと一致する、記録媒体１６０に記憶された（図１２の）健診科目ＩＤに当該データを紐付けて記憶させるべく、当該記録媒体１６０に送信する（ステップＳ５２２）。【０１０８】  ここで、ステップＳ５１４で健診機器Ａ１１０から健診結果を取得できなかった場合は、ステップＳ５２２で当日中に再健診をしなければならないことを示す健診経過情報（＊）のみを該健診科目ＩＤと紐付けて記録媒体１６０に記憶させるべく、当該記録媒体１６０に送信する。【０１０９】  また、健診端末Ａ１１１のＣＰＵ２０１は、図１９の画面において登録ボタンが押下されると（ステップＳ５２１）、後述する図１９の処理におけるステップＳ１９０３で対象外ボタンが押下されたと判別した場合は（ステップＳ１９０３でＹＥＳ）、ステップＳ４０３で取得した健診科目ＩＤ（健診科目）において後日に再健診をしなければならないことを示すデータ「―（後日、再健診をしなければならないことを示す識別情報）」（健診経過情報）とステップＳ５１４で健診機器Ａ１１０から取得した健診結果とを記録媒体１６０に記録させるデータとしてセットして、ステップＳ４０３で取得した健診科目ＩＤと一致する、記録媒体１６０に記憶された（図１２の）健診科目ＩＤに当該データを紐付けて記憶させるべく、当該記録媒体１６０に送信する（ステップＳ５２２）。【０１１０】  ここで、ステップＳ５１４で健診機器Ａ１１０から健診結果を取得できなかった場合は、ステップＳ５２２で後日に再健診をしなければならないことを示す健診経過情報（―）のみを該健診科目ＩＤと紐付けて記録媒体１６０に記憶させるべく、当該記録媒体１６０に送信する。【０１１１】  また、健診端末Ａ１１１のＣＰＵ２０１は、図１９の画面において登録ボタンが押下されると（ステップＳ５２１）、後述する図１９の処理において途中ボタンと対象外ボタンとが押下されないと判別した場合は（ステップＳ１９０３でＮＯ）、ステップＳ５１４で健診機器Ａ１１０から取得した健診結果とステップＳ４０３で取得した健診科目ＩＤ（健診科目）において受診済みであることを示すデータ「○（受診済みであることを示す識別情���）」（健診経過情報）とを、ステップＳ４０３で取得した健診科目ＩＤと一致する、記録媒体１０６に記憶された（図１２の）健診科目ＩＤに紐付けて記憶させるべく、当該記録媒体１６０に送信する（ステップＳ５２２）。【０１１２】  次いで、記録媒体１６０のコントローラは、健診端末Ａ１１１のリーダ／ライタ２０７を介して当該データを受信すると、健診結果又は／及び健診経過情報を記録媒体１６０内の記録部に書込む（記録する）（ステップＳ５２３）。【０１１３】  以上により、受診者が持ち運ぶ記録媒体１６０に、当該受診者の検査データ（健診結果）（例えば、身長・体重、ＢＭＩ値、適否判定値）が記録されることになる。【０１１４】  なお、健診機器Ａ１１０側にも更にリーダ／ライタ（図示しない）を備え、健診機器Ａ１１０のリーダ／ライタにおいて記録媒体１６０のタッチを検知して、健診機器Ａ１１０のリーダ／ライタが記録媒体１６０に受診者情報を要求して、リーダ／ライタが記録媒体１６０から受信した受診者情報と検査データとを一括して健診機器Ａ１１０から健診端末Ａ１１１に送信し、健診端末Ａ１１１が受診者情報と検査データとを受信して、受診者情報で突き合わせて検査データをメモリ２０２に記憶する処理を行なう構成でもよい。【０１１５】  また、ＢＭＩ値及び適否判定値を健診機器Ａ１１０側の不図示のステップで計算して検査データと一緒に健診端末Ａ１１１に送信してもよい。【０１１６】  図６は、図５におけるステップＳ５０７の健診状況表示処理の手順を示すフローチャートである。【０１１７】  図６において、まず、健診端末Ａ１１１のＣＰＵ２０１は、ステップＳ５０３で読み取った、今回の健康診断で受診予定であることを示す健診予定情報（図１３の「○」）が各健診科目ＩＤ（健診科目）毎にあるか否かを判定し（ステップＳ６０１）、受診予定であることを示す健診予定情報があると判定された健診科目に対して、網掛け表示を行う（図１８、ステップＳ６０２）。【０１１８】  次いで、健診端末Ａ１１１のＣＰＵ２０１は、ステップＳ５０３で読み取った、受診済みであることを示す健診経過情報（図１２の「○」）が各健診科目ＩＤ（健診科目）毎にあるか否かを判定し（ステップＳ６０３）、受診済みであることを示す健診経過情報があると判定された健診科目に対して「○」を健診端末Ａ１１１のディスプレイ２０５に表示する（図１８、ステップＳ６０４）。【０１１９】  次いで、健診端末Ａ１１１のＣＰＵ２０１は、図４のステップＳ４０２で選択されたメニューにより起動されたプログラムから現在の健診科目を判定し（ステップＳ６０５）、当該判定された現在の健診科目に対して「◎」を健診端末Ａ１１１のディスプレイ２０５に表示する（図１８、ステップＳ６０６）。【０１２０】  次いで、健診端末Ａ１１１のＣＰＵ２０１は、ステップＳ５０３で読み取った、後日に再健診をしなければならないことを示す健診経過情報（図１２の「―」）が各健診科目ＩＤ（健診科目）毎にあるか否かを判定し（ステップＳ６０７）、後日に再健診をしなければならないことを示す健診経過情報があると判定された健診科目に対して「―」を健診端末Ａ１１１のディスプレイ２０５に表示する（図１８、ステップＳ６０８）���【０１２１】  次いで、健診端末Ａ１１１のＣＰＵ２０１は、ステップＳ５０３で読み取った、当日中に再健診をしなければならないことを示す健診経過情報（図１２の「＊」）が各健診科目ＩＤ（健診科目）毎にあるか否かを判定し（ステップＳ６０９）、当日中に再健診をしなければならないことを示す健診経過情報があると判定された健診科目に対して「＊」を健診端末Ａ１１１のディスプレイ２０５に表示する（図１８、ステップＳ６１０）。【０１２２】  図６の健診状況表示処理によれば、受診者が受診しなければならない健診科目が網掛け表示され、既に受診済みの健診科目が「○」で表示され、現在の健診科目が「◎」で表示されるので、受診者が今後受診すべき項目を受診者又は測定者に把握させることができる。また、健診機器の障害や受診者の体調等により、当日中の再度検査が必要な健診科目がある場合、当該健診科目に「＊」を表示させることで、測定者又は受診者に、どの健診科目を当日中に受診しなければならないかを把握させることができる。また、当日中の再検査はできないが、後日再検査が必要な健診科目がある場合は、当該健診科目に「−」を表示させることで、測定者又は受診者に、どの健診科目を後日受診しなければならないかを把握させることができる。【０１２３】  なお、図６の健診状況表示処理では、網掛けや「○」や「◎」や「＊」や「―」を表示したが、各健診科目を識別できればどのような表示であってもよい。具体的には、受診しなければならない健診科目を黄色で表示してもよく、現在の健診科目を淡紅色で表示してもよい。【０１２４】  図７は、図５におけるステップＳ５０９の過去健診情報表示処理の手順を示すフローチャートである。【０１２５】  図７は、図１２及び図１３に示すデータを記憶することができないほど記憶容量が小さい携帯記録媒体が用いられた場合でも、今回の健診結果と過去の健診結果との比較が必要な所定の健診科目では、今回の健診結果と過去の健診結果とを表示させるための仕組みを示している。具体的には、図１１に示す過去健診テーブルを健診端末のメモリが記憶しており、健診端末が、ステップＳ５０３で取得した受診者ＩＤに対応する過去の健診結果を健診端末に記憶された過去検診テーブルから取得する。そして、ステップＳ５１４で健診機器から取得した今回健診結果と当該過去の健診結果とを健診端末のディスプレイに表示させる処理である。【０１２６】  図７において、まず、健診端末Ａ１１１のＣＰＵ２０１は、ステップＳ５０３で取得した受診者ＩＤ（受信者識別情報）をキーに健診端末Ａ１１１のメモリ２０２に記憶されている過去の健診結果（図１１）を検索し（ステップＳ７０１）、当該受診者ＩＤに対応する過去の健診結果を該メモリから読出し取得する（ステップＳ７０２）。【０１２７】  ここで、過去の健診結果は、図４のステップＳ４０２で選択されたメニュー（健診科目ＩＤ）に対応するデータ（過去の健診結果）のみを読出し取得する。即ち、例えば、ステップＳ４０２で選択されたメニューが「身長・体重」で、ステップＳ５０３で受信した受診者ＩＤが「１」であった場合、図１１に示す受診者ＩＤが「１」で、健診科目が「身長・体重」の「１６０」のみをメモリから読出し取��する。【０１２８】  そして、取得した健診結果を過去の健診結果として、健診端末Ａ１１１のディスプレイ２０５に表示して（図１８、ステップＳ７０３）、本処理を終了する。【０１２９】  図７の過去健診情報表示処理によれば、記憶容量が小さい携帯記録媒体が用いられた場合でも、今回の健診結果と過去の健診結果との比較が必要な所定の健診科目で、今回の健診結果と過去の健診結果とを表示させることができ、受診の際に、受診者の健康状態が注意すべき状態か否かを受診者又は測定者に把握させることができる。【０１３０】  図２５は、図５におけるステップＳ５１７の警告処理の手順を示すフローチャートである。【０１３１】  図２５において、まず、受信した検査データ（健診結果）が図４のステップＳ４０９で取得した第１の閾値の範囲内か否かを判別し（ステップＳ８０１）、第１の閾値の範囲内でないときは（ステップＳ８０１でＮＯ）、健診機器Ａ１１０にエラーが生じている旨を警告する警告画面をディスプレイ２０５に表示する（ステップＳ８０２）。【０１３２】  ステップＳ８０１の判別の結果、第１の閾値の範囲内であるときは（ステップＳ８０１でＹＥＳ）、検査データ（健診結果）が図４のステップＳ４０３で取得した第２の閾値を超えるか否かを判別し（ステップＳ８０３）、第２の閾値を超えるときは（ステップＳ８０３でＹＥＳ）、病気である旨を警告する警告画面をディスプレイ２０５に表示する（ステップＳ８０４）。【０１３３】  ステップＳ８０３の判別の結果、第２の閾値を超えないときは（ステップＳ８０３でＮＯ）、過去の健診結果を図７のステップＳ７０２で取得しているか否かを判別する（ステップＳ８０５）。【０１３４】  ステップＳ８０５の判別の結果、過去の検健診結果を取得しているときは（ステップＳ８０５でＹＥＳ）、今回の検査データ（健診結果）と過去の健診結果との差を算出し（ステップＳ８０６）、当該算出された値（差）が図４のステップＳ４０３で取得した第３の閾値を超えるか否かを判別し（ステップＳ８０７）、第３の閾値を超えるときは（ステップＳ８０７でＹＥＳ）、病気の疑いがある旨を警告する警告画面をディスプレイ２０５に表示する（ステップＳ８０８）。【０１３５】  ステップＳ８０２で警告画面を表示した後、ステップＳ８０５の判別の結果、過去の健診結果を取得していないとき（ステップＳ８０５でＮＯ）、ステップＳ８０７の判別の結果、第３の閾値を超えないとき（ステップＳ８０７でＮＯ）、並びにステップＳ８０８で警告画面を表示した後に、本処理を終了する。【０１３６】  図２５の警告処理によれば、受診した検査データ（健診結果）が第２の閾値を超えるときは（ステップＳ８０３でＹＥＳ）、病気である旨を警告する警告画面をディスプレイ２０５に表示し（ステップＳ８０４）、今回の検査データ（健診結果）と過去の健診結果との差が第３の閾値を超えるときは（ステップＳ８０７でＹＥＳ）、病気の疑いがある旨を警告する警告画面をディスプレイ２０５に表示する（ステップＳ８０８）ので、受診の際に、受診者の健康状態が注意すべき状態か否かを受診者又は測定者に把握させることができる。さらに、受信した検査データ（健診結果）が第１の閾値の範囲内でないときは��ステップＳ８０１でＮＯ）、健診機器Ａ１１０にエラーが生じている旨を警告する警告画面をディスプレイ２０５に表示する（ステップＳ８０２）ので、健診機器から取得した測定値が、健診機器で測定可能な範囲内の数値でない異常値であっても、このような異常値が測定値として携帯可能な記録媒体に記録されるのを防止することができる。【０１３７】  図１９は、図５におけるステップＳ５２０の再健診状況表示処理の手順を示すフローチャートである。【０１３８】  図１９において、まず、健診工程端末Ａ１１１のＣＰＵ２０１は、図１９の画面において途中ボタンが押下されたか否かを判別する（ステップＳ１９０１）。なお、図１９の画面における途中ボタンは、受診者の体調等の問題により、当日中に再検査が必要と判断された場合に押下される。【０１３９】  ステップＳ１９０１の判別の結果、途中ボタンが押下されたときは（ステップＳ１９０１でＹＥＳ）、現在の健診項目に「＊」を表示して（ステップＳ１９０２）、本処理を終了する。【０１４０】  ステップＳ１９０１の判別の結果、途中ボタンが押下されないときは（ステップＳ１９０１でＮＯ）、図１９の画面において対象外ボタンが押下されたか否かを判別する（ステップＳ１９０３）。なお、図１９の画面における対象外ボタンは、後日に再検査が必要と判断された場合に押下される。【０１４１】  ステップＳ１９０３の判別の結果、対象外ボタンが押下されたときは（ステップＳ１９０３でＹＥＳ）、現在の健診項目に「‐」を表示して（ステップＳ１９０４）、本処理を終了する。【０１４２】  ステップＳ１９０３の判別の結果、対象外ボタンが押下されないときは（ステップＳ１９０３でＮＯ）、そのまま本処理を終了する。【０１４３】  次に、図１における管理端末が実行する回収処理について説明する。【０１４４】  図９は、図１における管理端末が実行する回収処理の手順を示すフローチャートである。なお、本処理は、管理端末１５０のＣＰＵ２０１がメモリ２０２に記憶されるプログラムを読み出して実行することにより実現される（即ち、管理端末１５０のＣＰＵ２０１の制御の元で実行される）処理に対応する。なお、健診の開始に先立って健診テーブル（図１０）を、ＵＳＢメモリ等の手段で外部から読込んで、管理端末１５０のメモリ２０２に記憶しておくものとする。また、上記健診テーブル（図１０）は、全受診予定者の健診予定情報であり、各健診科目の各健診結果が記録されている。【０１４５】  図９において、まず、管理端末１５０のＣＰＵ２０１は、ディスプレイ２０５（タッチパネルを兼ねる）やリーダ／ライタ２０７への操作を判定し、管理端末１５０のリーダ／ライタ２０７にカード（記録媒体１６０）がタッチされると（ステップＳ９０１）、管理端末１５０のＣＰＵ２０１は、リーダ／ライタ２０７を介して記録媒体１６０に対して当該記録媒体１６０に記録されている受診者情報及び全ての健診結果（図１２）の読取要求を送信する（ステップＳ９０２）。当該読取要求を受信した記録媒体１６０のコントローラは、受診者情報及び健診結果（図１２）を管理端末１５０のリーダ／ライタ２０７に送信する。【０１４６】  次いで、管理端末１５０のＣＰＵ２０１は、管理端末１５０のリーダ／ライタ２０７を介して一人分の受診者情報及び全健診科目の健診結果（図１２）を記憶媒体１６０から取得すると（ステップＳ９０３）、管理端末１５０のメモリ２０２のワークエリアに記憶する（ステップＳ９０４）。【０１４７】  次いで、管理端末１５０のＣＰＵ２０１は、メモリ２０２に記憶される健診テーブル（図１０）と上記一人分の健診結果を照合する（ステップＳ９０５）。具体的には、記録媒体１６０から取得した受診者ＩＤと一致する、健診テーブルの受診者ＩＤのあるレコードを検索して特定する。【０１４８】  次いで、特定されたレコードの各健診科目毎に、受診しなければならないのにも関わらず受診していない健診科目があるか否かを判別する（ステップＳ９０６）。具体的には、ステップＳ９０５で特定されたレコードで受診予定の識別情報（「○」）が記憶された健診科目に対して、ステップＳ９０３で記録媒体１６０から取得した当該健診科目に対応した健診結果として、未受診であることを示す識別情報（「×」）又は当日中に受診しなければならないことを示す識別情報（「＊」）があるか否かを判別する。【０１４９】  ステップＳ９０６の判別の結果、未受診であることを示す識別情報（「×」）又は当日中に受診しなければならないことを示す識別情報（「＊」）がある場合（ステップＳ９０６でＹＥＳ）、エラーメッセージを管理端末１５０のディスプレイ２０５に表示し（ステップＳ９１６）、未受診であることを示す識別情報（「×」）又は当日中に受診しなければならないことを示す識別情報（「＊」）がない場合（ステップＳ９０６でＮＯ）、ステップＳ９０７の処理に進む。【０１５０】  次いで、管理端末１５０のＣＰＵ２０１は、管理端末１５０のディスプレイ２０５に図２０に示すような検査結果及び判定結果画面（図２０）を表示する（ステップＳ９０７）。図２０は、管理端末１５０の回収処理プログラム画面の一例である。管理端末１５０のＣＰＵ２０１は、図２０の画面において、受信した受診者情報に基づいて受診者ＩＤや氏名２１０、性別や年齢を表示し、ステップＳ９０６の判定結果に基づいて未検査や未通過や検査済や受付済や後日受診（後日受診しなければならない）や当日受診（当日中に受診しなければならない）の区分を表示する。なお、図２０に示す画面では、血液検査の結果２１２が未受付であること、聴力検査の結果２１１が受付済であること等を示している。【０１５１】  図９に戻り、管理端末１５０のＣＰＵ２０１は、図２０の画面の各ボタン（リスト印刷ボタン２１３、表示切替ボタン２１４、印刷ボタン２１５、登録ボタン２１６）のタッチを検知し（操作判定し）、表示切替ボタン２１４が押下（タッチ）されたか否かを判別し（ステップＳ９０８）、表示切替ボタン２１４が押下されたときは（ステップＳ９０８でＹＥＳ）、管理端末１５０のＣＰＵ２０１は、図２０の初期画面がディスプレイ２０５に表示されていた場合は図２１の健診データ明細表示画面に表示を切替え、図２１の健診データ明細表示画面が表示されていた場合は図２１の初期画面に表示を切替え（ステップＳ９０９）、処理をステップＳ９０８に戻す。【０１５２】  ステップＳ９０８の判別の結果、表示切替ボタン２１４が押下されないときは（ステップＳ９０８でＮＯ）、印刷ボタン２１５が押下（タッチ）されたか否かを判別し（ステップＳ９１０）、印刷ボタン２１５が押下されたときは（ステップＳ９１０でＹＥＳ）、管理端末１５０のＣＰＵ２０１は、メモリ２０２に記憶した受診者情報及び検査結果に基づいて、受診者個人用の結果リストを印刷し（ステップＳ９１１）、処理をステップＳ９０８に戻す。【０１５３】  ステップＳ９１０の判別の結果、印刷ボタン２１５が押下されないときは（ステップＳ９１０でＮＯ）、登録ボタン２１６が押下（タッチ）されたか否かを判別し（ステップＳ９１２）、登録ボタン２１６が押下されないときは（ステップＳ９１２でＮＯ）、処理をステップＳ９０８に戻す。【０１５４】  ステップＳ９１２の判別の結果、登録ボタン２１６が押下されたときは（ステップＳ２１２でＹＥＳ）、管理端末１５０のＣＰＵ２０１は、ステップＳ９０６における各検査データの検査漏れの判定結果に基づいて、検査漏れ、未受付、その他の異常データがあるか否かを判別し（ステップＳ９１３）、検査漏れ、未受付、その他の異常データがあるときは（ステップＳ９１３でＹＥＳ）、管理端末１５０のＣＰＵ２０１は、管理端末１５０の不図示のスピーカから警告音を出力し、管理端末１５０のディスプレイ２０５に検査漏れ、未受付、その他の異常データがある健診科目の名称と受診者ＩＤ及び氏名、再度該当の健診科目に行くように促すメッセージを表示し（ステップＳ９１４）、処理をステップＳ９１５に進める。【０１５５】  ステップＳ９１３の判別の結果、検査漏れ、未受付、その他の異常データがないときは（ステップＳ９１３でＮＯ）、管理端末１５０のＣＰＵ２０１は、健診結果ファイルに１人分の健診結果及び通過記録データを記憶して（ステップＳ９１５）、本処理を終了する。
なお、図９の回収処理では、健診結果ファイルの検査漏れ、未受付、その他の異常データがある場合は、管理端末１５０のＣＰＵ２０１は、管理端末１５０のメモリ２０２内の健診未完了フラグをオンにして記憶しておくように構成してもよい。【０１５６】  図４の制御処理によれば、操作者が選択したメニューに対応する処理プログラムが実行されて、所望の健診科目における処理を実行できる。図５では、図１７に示す健診システムメニューで「１．視力検査」ボタン１７１が押下された場合について説明したが、ここでは、健診システムメニューで、例えば「１７．心電図・腹囲」ボタンが押下された場合について説明する。【０１５７】  以下に、図２６及び図２７を用いて、本実施の形態に係る健診情報処理システムが実行する健診情報処理について説明する。【０１５８】  図２６及び図２７は、本実施の形態に係る健診情報処理システムが実行する健診情報処理の手順を示すシーケンス図である。
なお、図２６及び図２７のステップＳ２６０１及びステップＳ２６０２、ステップＳ２６０４乃至ステップＳ２６２０、ステップＳ２７０１乃至ステップＳ２７１１は各健診端末のＣＰＵ２０１がメモリ２０２に記憶される、健診科目（心電図・腹囲）の処理プログラムを読み出して実行することにより実現される。
また、ステップＳ２６２１及びステップＳ２６２２は各健診機器のＣＰＵ２０１がメモリ２０２に記憶されるプログラムを読み出して実行することにより実現される。【０１５９】  以下、健診端末Ｄ１１８、健診機器Ｄ１１６及び健診機器Ｅ１１７で実行されるものとして説明する。【０１６０】  また、以下では、図１７に示す健診システムメニューで「１７．心電図・腹囲」ボタンが押下され、図２８に示す心電図・腹囲測定用の画面が健診端末Ｄ１１８のディスプレイ２０５に表示される場合について説明する。【０１６１】  図２６において、まず、健診端末Ｄ１１８のＣＰＵ２０１は、健診端末Ｄ１１８のリーダ／ライタ２０７にカード（記録媒体１６０）がかざされた（タッチされた）ことを判定する（ステップＳ２６０１）。【０１６２】  記録媒体１６０がリーダ／ライタ２０７にタッチされたことを判定すると、健診端末Ｄ１１８のＣＰＵ２０１は、リーダ／ライタ２０７を介して記録媒体１６０に対して、ステップＳ４０３で取得した健診科目ＩＤに対応する前回の健診結果（健診情報）と健診予定情報と健診経過情報と今回受診した健診結果（健診情報）を読み出す処理を行う（ステップＳ２６０２，２６０３）。【０１６３】  具体的には、健診端末Ｄ１１８のＣＰＵ２０１は、まず、ステップＳ４０３で取得した健診科目ＩＤを記録媒体１６０に送信すると共に、当該健診科目ＩＤに対応する前回の健診結果（健診情報）と健診予定情報と健診経過情報と今回受診した健診結果（健診情報）の読取要求を、記録媒体１６０に対して行う（ステップＳ２６０２）。【０１６４】  そして、健診端末Ｄ１１８のＣＰＵ２０１は、記録媒体１６０から、受診者情報と、当該健診科目ＩＤに対応する前回の健診結果（健診情報）と、健診予定情報と、健診経過情報と、今回受診した健診結果（健診情報）とを読み込む（ステップＳ２６０３）。【０１６５】  ここで、ステップＳ４０２で選択された健診科目に対応する健診科目ＩＤを、図１４又は図１５に示す関連付け情報ファイルから読み出し、図１３に記憶された当該健診科目ＩＤに紐付けられた前回の健診結果を取得する。ここでは、心電図と腹囲とが選択されているため、心電図と腹囲の前回の健診結果を取得する。【０１６６】  また、ステップＳ２６０２とステップＳ２６０３では、今回の健診で受診した他の健診科目の健診結果（健診情報）を携帯記録媒体から取得している。今回受診した全ての健診科目の健診情報を取得してもよいが、健診科目に対応する所定の健診科目の健診情報のみを取得しても良い。例えば、測定した心電図の診察を行うために必要な「身長」、「体重」、「血圧（上：下）」のみを健診結果として取得してもよい。この場合、どの健診科目の健診情報を取得するかは、予め健診端末に記憶されており、図１７で選択される健診科目に対応して、取得する健診科目が設定されている。【０１６７】  次いで、健診端末Ｄ１１８のＣＰＵ２０１は、ステップＳ２６０４で受診者情報（受診者ＩＤ、性別、氏名など）を記録媒体１６０から取得できたか否かを判別し（ステップＳ２６０４）、受診者ＩＤ、性別、氏名の何れか１つを取得できなかったと判別した場合は（ステップＳ２６０４でＮＯ）、エラーメッセージ（警告画面）を表示して（ステップＳ２６０５）、ステップＳ２６０１の処理へ戻り、再度、記録媒体１６０の読込みを待機する。【０１６８】  また、健診端末Ｄ１１８のＣＰＵ２０１は、全ての受診者情報（受診者ＩＤ、性別、氏名）を取得できたと判別した場合は（ステップＳ２６０４でＹＥＳ）、Ｓ２６０３で取得した健診経過情報から心電図の健診を受診している（受診済み）か否かを判定する（ステップＳ２６０６）。【０１６９】  すなわち、健診科目ＩＤが「Ｎ」である心電図の健診経過情報が「○」（受診済み）であるか否かを判定する。心電図の健診経過情報が「○」（受診済み）であると判定された場合は（ステップＳ２６０６：ＹＥＳ）、受診済みである旨を健診端末Ｄ１１８のディスプレイ２０５に表示する（ステップＳ２６０７）。一方、心電図の健診経過情報が「‐」（後日再受診が必要）、「＊」（当日再受診が必要）、「×」（未受診）のいずれかであると判定された場合は（ステップＳ２６０６：ＮＯ）、処理をステップＳ２６０８に移行する。【０１７０】  ステップＳ２６０８では、ステップＳ２６０３で取得した健診予定情報から、心電図を受診予定か否かを判定する。すなわち、ステップＳ２６０３で携帯記録媒体から取得した心電図の健診予定情報が「○」（受診予定）か「×」（受診を予定していない）かを判定する。【０１７１】  そして、心電図の健診予定情報が「○」（受診予定）であると判定された場合は（ステップＳ２６０８：ＹＥＳ）、図２８に示す心電図・腹囲の画面を、健診端末Ｄ１１８のディスプレイ２０５に表示する（ステップＳ２６１２）。一方、心電図の健診予定情報が「×」（受診を予定していない）であると判定された場合は（ステップＳ２６０８：ＮＯ）、不図示の予定外受診の指示受付画面を、健診端末Ｄ１１８のディスプレイ２０５に表示する（ステップＳ２６０９）。ここで、予定外受診の指示受付画面とは、心電図の受診は予定されていないが、受診者の要望に応じて心電図を受診させるか否かの指示を受け付ける画面である。すなわち、心電図の受診は予定されていないが受診者が受診を希望する場合は、予定外受診の指示受付画面に表示される不図示の受診ボタンを押下することにより、心電図の受診を可能にさせることができる。【０１７２】  ステップＳ２６１０では、予定外受診の指示受付画面に表示される不図示の受診ボタンが押下されたか否かを判定し、押下された場合は、処理をステップＳ２６１２に移行する。一方、予定外受診の指示受付画面に表示される、受診しないことを示す不図示の非受診ボタンが押下された場合は（ステップＳ２６１０：ＮＯ）、処理をステップＳ２６１１に移行する。【０１７３】  ステップＳ２６１１では、非受診ボタンが押下された場合（ステップＳ２６１０：ＮＯ）又はステップＳ２６０７の処理を行った後に、心電図の健診科目について受診済みであることを示す受診済みフラグ（識別情報）を設定し、処理をステップＳ２６１２に移行する。【０１７４】  ステップＳ２６１２では、上述したように、図２８に示す心電図・腹囲の健診画面を、健診端末Ｄ１１８のディスプレイ２０５に表示する。【０１７５】  次に、ステップＳ２６０３で取得した受診者情報を健診端末Ｄ１１８のディスプレイ��０５に表示する（ステップＳ２６１３）。表示画面の一例を図２８に示す。図２８の表示画面の「ＩＤ」の部分に、受診者ＩＤが表示され、「氏名」の部分には、受診者の氏名が表示される。また、性別は、受診者ＩＤの右に表示されている。【０１７６】  次いで、上述した図６の健診状況表示処理を実行して、健診状況を表示する（ステップＳ２６１４）。図５では、ステップＳ５０３で取得した健診予定情報と健診経過情報を用いて処理を実行したが、ステップＳ２６１４では、ステップＳ２６０３で取得した健診予定情報と健診経過情報を用いて処理を行う。【０１７７】  次に、健診端末Ｄ１１８のＣＰＵ２０１は、記録媒体１０６に記憶されている、ステップＳ４０３で取得した健診科目ＩＤに対応する前回の健診結果を取得できたか否かの判別を行う（ステップＳ２６１５）。そして、取得できたと判別した場合は（ステップＳ２６１５でＹＥＳ）、取得した当該健診科目の前回の健診結果を健診端末Ｄ１１８のディスプレイ２０５（表示部）に表示する（ステップＳ２６１７）。【０１７８】  一方、取得できなかった場合は（ステップＳ２６１５でＮＯ）、上述した図７の過去健診情報表示処理を実行する（ステップＳ２６１６）。【０１７９】  そして、過去の健診結果を表示し（ステップＳ２６１７）、健診機器Ｄ１１６からの検査データ（今回の健診での検査結果：健診情報）の入力を受け付け待ち状態となる（ステップＳ２６１８）。【０１８０】  一方、健診機器Ａ１１０は、検査データの計測（例えば腹囲の計測）を実行し（ステップＳ２６２１）、計測が終了した後に、健診機器Ｄ１１６の表示部に表示された送信ボタン（図示しない）が測定者により押下されたことを認識すると（ステップＳ２６２２）、健診機器Ｄ１１６は、検査データ（健診結果である健診情報）を健診端末Ｄ１１８に送信する（ステップＳ２６２３）。【０１８１】  そして、健診機器Ｄ１１６は、検査データを正常に送信し終わると、検査データを健診機器Ｄ１１６のメモリ（図示しない）内の保存エリアに記憶すると共に、メモリのワークエリア中の最新の検査データ（表示用及び送信用の検査データ）をクリアして、次の計測開始を待つように制御する。【０１８２】  なお、健診機器Ｄ１１６は、ステップＳ２６２３において検査データの送信が正常に終了しなかった場合は、タイムアウトになるまで検査データを再送し、タイムアウトになった場合は、当該健診機器Ｄ１１６のディスプレイ（図示しない）にエラーメッセージ（警告画面）を表示する。【０１８３】  次いで、健診端末Ｄ１１８のＣＰＵ２０１は、健診機器Ｄ１１６から送信された検査データ（健診結果）を受信（取得）すると（ステップＳ２６１９）、上述した図２５の警告処理を実行する（ステップＳ２６２０）。【０１８４】  続いて、図２６のシーケンス図の続きの処理を図２７のシーケンス図を用いて説明する。【０１８５】  即ち、健診端末は、図２６に示すステップＳ２６２０の処理を実行した後、図２７に示すステップＳ２７０１の処理を実行する。なお、図２６に示した健診機器は、腹囲計測器で説明したが、図２７に示す健診機器は、心電図計測器（健診機器Ｅ１１７）で説明する。【０１８５】  健診端末Ｄ１１８のＣＰＵ２０���は、健診機器Ｄ１１８から受信した検査データ（健診結果）を健診端末Ｄ１１８のメモリ２０２内のワークエリアに記憶し（ステップ２７０１）、健診端末Ｄ１１８のディスプレイ２０５に当該健診結果を表示する（ステップＳ２７０２）。図２８の例では、腹囲が「７５．５（ｃｍ）」であることを表示している。
また、図２８の画面では途中ボタンと対象外ボタンとが表示される。【０１８６】  次いで、健診端末Ｄ１１８のＣＰＵ２０１は、上述した図１９の再健診状況表示処理を実行して、健診状況の表示を行う（ステップＳ２７０３）。【０１８７】  そして、Ｓ２７０３で健診状況の表示を行った後、図２８の健診画面の登録ボタンを押下（選択）可能に制御する（ステップＳ２７０４）。【０１８８】  そして、測定者により登録ボタンが押下された場合（ステップＳ２７０５：ＹＥＳ）、ステップＳ２６１１での受診済みフラグが設定されているか否かを判定する（ステップＳ２７０６）。そして、当該受診済みフラグが設定されていると判定された場合は（ステップＳ２７０６：ＹＥＳ）、ステップＳ２６１９で入力された健診情報（検査データ）と、腹囲が受診済みであることを示す健診経過情報（「○」）を携帯記録媒体に記録させるべく送信する（ステップＳ２７１１）。【０１８９】  一方、受診済みフラグが設定されていないと判定された場合は（ステップＳ２７０６：ＮＯ）、心電図を計測する健診機器Ｅ１１７に送信すべき、今回受診した他の健診科目の健診結果（健診情報）を全て取得しているか否かを判定する（ステップＳ２７０７）。【０１９０】  具体的には、携帯端末のメモリ２０２に、操作者が選択したメニュー（健診科目）に対応する処理プログラムに対応して健診機器に送信すべき、今回受診した他の健診科目の健診結果（健診情報）（例えば、図２９）が記憶されており、ステップＳ２６０３及びステップＳ２６１９で、当該記憶された健診機器Ｅ１１７に送信すべき全ての健診科目の健診情報を取得出来たか否かを判定する。【０１９１】  図２９は、健診機器に対応して、当該健診機器に送信すべき、今回受診した他の健診科目の健診結果（健診情報）を示すテーブルである。【０１９２】  すなわち、健診機器Ａには、今回受診した他の健診科目の健診結果（健診情報）を送信する必要は無いが、健診機器Ｂには、健診を行う前に、「腹囲」、「身長」、「体重」、「血圧（上）」の健診結果を送信しないといけないことを示している。【０１９３】  次に、ステップＳ２６０３及びステップＳ２６１９で、健診機器Ｅ１１７に送信すべき全ての健診科目の健診情報を取得できていないと判定された場合は（ステップＳ２７０７：ＮＯ）、エラー画面などの警告画面を表示し、ステップＳ２７０９に処理を移行する。【０１９４】  一方、ステップＳ２７０７で健診機器Ｅ１１７に送信すべき全ての健診科目の健診情報を取得できたと判定された場合は（ステップＳ２７０７：ＹＥＳ）、ステップＳ２７０９で、ステップＳ２６０３で取得した受診者情報と、健診機器に送信すべき他の健診科目の健診情報を送信する（ステップＳ２７０９）。【０１９５】  ここで、携帯端末のメモリ２０２に記憶された、健診機器に送信すべき今回受診した他の健診科目の健診結果（健診情報）の中には、健診機器Ａ（腹囲）での検査データが含まれている。【０１９６】  このとき、健診機器Ｅ１１７は、携帯端末からの当該受診者情報や当該健診情報の受信待ち状態であり（ステップＳ２７１２）、携帯端末から、ステップＳ２６０３で取得した受診者情報と、健診機器に送信すべき他の健診科目の健診��報とを受信すると、当該受信者情報と健診情報とを健診機器のメモリに記憶し（ステップＳ２７１３）、健診機器Ｅ１１７（心電図）での検査データを計測する（ステップＳ２７１４）。【０１９７】  そして、健診機器Ｅ１１７は、ステップＳ２７１５で計測された検査データを健診端末に送信する（ステップＳ２７０１）。そして、ステップＳ２７１５で計測された検査データと、ステップＳ２７１３で記憶された受信者情報と、他の健診科目の健診情報を含むデータを出力する。ここで出力とは、健診機器Ｅ１１７に備え付けられたディスプレイやプリンタなどから映像又は紙等として出力することを示している。【０１９８】  携帯端末のＣＰＵ２０１は、ステップＳ２７１４で計測された健診情報を健診機器Ｅ１１７から受信（取得）すると、
ステップＳ２６１９で入力された健診情報（検査データ）と、健診機器Ａ（腹囲）の健診科目が受診済みであることを示す健診経過情報（「○」）と、ステップＳ２７１４で計測された健診情報と、健診機器Ｅ１１７心電図）の健診科目が受診済みであることを示す健診経過情報（「○」）と携帯記録媒体に記録させるべく送信する（ステップＳ２７１０）。【０１９９】  次いで、記録媒体１６０のコントローラは、健診端末Ｄ１１８のリーダ／ライタ２０７を介して当該データを受信すると、受信した健診結果又は／及び健診経過情報を記録媒体１６０内の記録部に書込む（記録する）（ステップＳ２７１７）。【０２００】  以上により、受診者が持ち運ぶ記録媒体１６０に、当該受診者の検査データ（健診結果）（例えば、腹囲の健診情報、心電図の健診情報）と、健診経過情報が記録されることになる。【０２０１】  上述した本実施の形態では、ディスプレイ２０５をタッチパネル付きのディスプレイとして説明したが、ディスプレイ２０５を通常のディスプレイとし、マウス等のポインティングデバイスを設けて入力を行うように構成してもよい。【０２０２】  また、上述した各種データの構成及びその内容はこれに限定されるものではなく、用途や目的に応じて、様々な構成や内容で構成されてもよい。【０２０３】  また、本発明は、例えば、システム、装置、方法、プログラム若しくは記録媒体等としての実施の態様をとることが可能であり、具体的には、複数の機器から構成されるシステムに適用してもよく、一つの機器からなる装置に適用してもよい。【０２０４】  上述したように、図１に示した健診端末は、メモリ２０２に、図１４、図１５に示した関連付情報ファイル、各健診機器とのインタフェース設定、各処理プログラム、及び各健診機器の設定情報を少なくとも記憶する。そして、健診端末のＣＰＵ２０２は、図１７に示した各健診メニューのいずれかの選択に応じて、上記健診機器の設定情報と上記処理プログラムとをメモリ２０２から読み出して実行する。【０２０５】  また、管理端末１５０は、メモリ２０２に健診情報（各健診科目の各健診データ及び通過記録データのフォーマットを含む）を記憶する。また、管理端末１５０のＣＰＵ２０１は、記録媒体１６０から受診者ＩＤと、上記健診データを読み出し、上記フォーマットと上記健診データとに基づいて検査洩れの有無を判定し、検査漏れがあると判定した場合に、検査漏れと判定した健診科目の健診データ復旧の要否を上記フォーマットに基づいて判定する（図９）。【０２０６】  また、健診端末のＣＰＵ２０１は、メモリ２０２に各健診科目別の各健診機器別の設定情報を記憶し、上記処理プログラム（図５）は、上記各メニューを選択した場合に当該選択した健診科目における複数の健診機器から１つを選択させて、当該選択された健診機器に関連付けられた設定情報を読み出して処理を実行する。【０２０７】  以上の構成により、複数の処理プログラムを健診端末のメモリ２０２に記憶してメニューの選択に応じて所定の健診機器の設定を読み込んで対応する処理プログラムを健診端末のＣＰＵ２０１で実行するので、現有する様々な種類の健診機器及び様々な外部インタフェースに柔軟に対応可能で健診時の準備工数を大幅に削減可能な仕組みを提供することができる。【０２０８】  また、検査終了時点での検査洩れの有無を判断し画面に警告を表示するので検査漏れが生じない仕組みを提供する。【０２０９】  また、検査中においてどこの検査を受けなければ、ならないかを把握することができる仕組みを提供する。【０２１０】  また、健診機器や端末の不調にも迅速に対応可能な仕組みを提供する。【０２１１】  なお、特に図示しないが、本発明に係る装置で読み取り可能な各種プログラムやデータを格納する記録媒体（記憶媒体）には、該記録媒体に記憶されるプログラム群を管理する情報、例えばバージョン情報、作成者等も記憶され、且つプログラム読み出し側のＯＳ等に依存する情報、例えばプログラムを識別表示するアイコン等も記憶される場合もある。【０２１２】  さらに、各種プログラムに従属するデータも上記ディレクトリに管理されている。また、インストールするプログラムやデータが圧縮されている場合に、解凍するプログラム等も記憶される場合もある。【０２１３】  本実施の形態における各フローチャート、及び画面に示す機能が外部からインストールされるプログラムによって、ホストコンピュータにより遂行されていてもよい。そして、その場合、不図示のＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。【０２１４】  以上のように、前述した実施の形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。【０２１５】  この場合、記録媒体から読み出されたプログラムコード自体が本発明の新規な機能を実現することになり、そのプログラムコードを記憶した記録媒体は本発明を構成することになる。【０２１６】  プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。【０２１７】  また、コンピュータが読み出したプログラムコードを実行することにより、前述した実施の形態の機能が実現されるだけでなく、そのプログラムコードの指示に基づき、コンピュータ上で稼働しているＯＳ（オペレーティングシステム）等が実際の処理の一部または全部を行い、その処理によって前述した実施の形態の機能が実現される場合も含まれることは言うまでもない。【０２１８】  さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現さ��る場合も含まれることは言うまでもない。【０２１９】  また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。【０２２０】  さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【図面の簡単な説明】
【０２２１】
【図１】本発明の実施の形態に係る健診情報処理システムのシステム構成を示すブロック図である。
【図２】図１における各種端末（受付端末、各健診端末、管理端末）のハードウェア構成を示すブロック図である。
【図３】図１における受付端末が実行する受付処理の手順を示すフローチャートである。
【図４】図１における各健診端末が実行する制御処理の手順を示すフローチャートである。
【図５】本実施の形態に係る健診情報処理システムが実行する健診情報処理の手順を示すシーケンス図である。
【図６】図５におけるステップＳ５０７の健診状況表示処理の手順を示すフローチャートである。
【図７】図５におけるステップＳ５０９の過去健診情報表示処理の手順を示すフローチャートである。
【図８】図３におけるステップＳ３０９で受付端末から携帯記録媒体に記憶されるテーブルの一例である。
【図９】図１における管理端末が実行する回収処理の手順を示すフローチャートである。
【図１０】受付端末のメモリに記憶された健診テーブルの一例である。
【図１１】受付端末のメモリに記憶された過去健診テーブルの一例である。
【図１２】携帯記録媒体に記憶されるテーブルの一例である。
【図１３】図３におけるステップＳ３０９で受付端末から携帯記録媒体に記憶されたテーブルの一例である。
【図１４】関連付情報ファイルの一例である。
【図１５】関連付情報ファイルの他の例である。
【図１６】受付端末の受付入力画面の一例である。
【図１７】健診端末の初期メニュー画面の一例である。
【図１８】健診端末の処理プログラム画面の一例である。
【図１９】図５におけるステップＳ５２０の再健診状況表示処理の手順を示すフローチャートである。
【図２０】管理端末の回収処理プログラム画面の一例である。
【図２１】管理端末の健診データ明細表示画面の一例である。
【図２２】図４のステップＳ４０９で取得される第１の閾値の一例を説明するためのテーブルである。
【図２３】図４のステップＳ４０３で取得される第２の閾値の一例を説明するためのテーブルである。
【図２４】図４のステップＳ４０３で取得される第３の閾値の一例を説明するためのテーブルである。
【図２５】図５におけるステップＳ５１７の警告処理の手順を示すフローチャートである。
【図２６】本実施の形態に係る健診情報処理システムが実行する健診情報処理の手順を示すシーケンス図である。
【図２７】本実施の形態に係る健診情報処理システムが実行する健診情報処理の手順を示すシーケンス図である。
【図２８】健診端末の処理プログラム画面の一例である。
【図２９】健診端末に記憶されている、健診機器に対応して、当該健診機器に送信すべき、今回受診した他の健診科目を示すテーブルの一例である。
【符号の説明】
【０２２２】１００  受付端末
１１０  健診機器Ａ
１１１  健診端末Ａ
１５０  管理端末
１６０  記録媒体（携帯記録媒体）
２０１  ＣＰＵ
２０２  メモリ
２０５  ディスプレイ
２０７  リーダ／ライタ
【図１】
2010198583.tif 000003
【図２】
2010198583.tif 000004
【図３】
2010198583.tif 000005
【図４】
2010198583.tif 000006
【図５】
2010198583.tif 000007
【図６】
2010198583.tif 000008
【図７】
2010198583.tif 000009
【図８】
2010198583.tif 000010
【図９】
2010198583.tif 000011
【図１０】
2010198583.tif 000012
【図１１】
2010198583.tif 000013
【図１２】
2010198583.tif 000014
【図１３】
2010198583.tif 000015
【図１４】
2010198583.tif 000016
【図１５】
2010198583.tif 000017
【図１６】
2010198583.tif 000018
【図１７】
2010198583.tif 000019
【図１８】
2010198583.tif 000020
【図１９】
2010198583.tif 000021
【図２０】
2010198583.tif 000022
【図２１】
2010198583.tif 000023
【図２２】
2010198583.tif 000024
【図２３】
2010198583.tif 000025
【図２４】
2010198583.tif 000026
【図２５】
2010198583.tif 000027
【図２６】
2010198583.tif 000028
【図２７】
2010198583.tif 000029
【図２８】
2010198583.tif 000030
【図２９】
2010198583.tif 000031
【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
複数の健診機器で測定されたそれぞれの健診情報が記録される携帯記録媒体と、第１の健診機器と通信可能な健診情報処理装置であって、
前記第１の健診機器に送信するべき所定の健診情報を前記携帯記録媒体に記憶されている複数の健診情報から特定するための特定情報を記憶する記憶手段と、
前記記憶手段に記憶されている特定情報により特定される前記所定の健診情報である第１の健診情報を、前記携帯記録媒体に記憶されている複数の健診情報から特定して取得する取得手段と、
前記取得手段で取得された前記第１の健診情報を前記第１の健診機器に送信する送信手段と、
を備えることを特徴とする健診情報処理装置。
【請求項２】
複数の健診科目の中から健診科目の選択を受け付ける受付手段と、
前記受付手段により受け付けた健診科目に従って、前記取得手段による取得処理および前記送信手段による送信処理を行うか否かを決定する決定手段と、
を更に備え、
前記決定手段により、前記取得手段による取得処理および前記送信手段による送信処理を行うことが決定された場合に、前記取得手段は、前記受付手段で受け付けた健診科目に対応して前記記憶手段に記憶されている特定情報により特定される前記所定の健診情報を、前記携帯記録媒体に記憶されている複数の健診情報から特定して取得し、前記送信手段は、当該取得された所定の健診情報を前記第１の健診機器に送信し、一方、前記決定手段により、前記取得手段による取得処理および前記送信手段による送信処理を行わないことが決定された場合に、前記送信手段は、前記受付手段により選択を受け付けた健診科目に対応する健診機器に、健診情報の送信を行わないように制御することを特徴とする請求項１に記載の健診情報処理装置。
【請求項３】
前記記憶手段に記憶されている特定情報は、前記受付手段により受け付けた健診科目で測定される健診機器である前記第１の健診機器に送信するべき所定の健診情報として、前記受付手段により受け付けた健診科目で測定される健診機器である第２の健診機器で測定された第２の健診情報をも特定する情報であり、
前記取得手段は、前記第２の健診機器で測定された第２の健診情報を更に取得でき、
前記送信手段は、更に、前記取得手段で取得した前記第１の健診情報と前記第２の健診情報とを、前記第１の健診機器に送信することを特徴とする請求項２に記載の健診情報処理装置。
【請求項４】
前記特定情報に基づいて、前記取得手段で、前記第１の健診機器に送信すべき所定の健診情報をすべて取得したか否かを判定する判定手段と、
前記判定手段により前記所定の健診情報をすべて取得していないと判定された場合に警告する警告手段と、
を更に備えることを特徴とする請求項１乃至３のいずれか１項に記載の健診情報処理装置。
【請求項５】
複数の健診機器で測定されたそれぞれの健診情報が記録される携帯記録媒体と、第１の健診機器と通信可能であり、前記第１の健診機器に送信するべき所定の健診情報を前記携帯記録媒体に記憶されている複数の健診情報から特定するための特定情報を記憶する記憶手段を備えた健診情報処理装置における健診情報処理方法であって、
前記健診情報処理装置の取得手段が、前記記憶手段に記憶されている特定情報により特定される前記所定の健診情報である第１の健診情報を、前記携帯記録媒体に記憶されている複数の健診情報から特定して取得する取得工程と、
前記健診情報処理装置の送信手段が、前記取得工程で取得された前記第１の健診情報を前記第１の健診機器に送信する送信工程と、
を備えることを特徴とする健診情報処理方法。
【請求項６】
複数の健診機器で測定されたそれぞれの健診情報が記録される携帯記録媒体と、第１の健診機器と通信可能であり、前記第１の健診機器に送信するべき所定の健診情報を前記携帯記録媒体に記憶されている複数の健診情報から特定するための特定情報を記憶する記憶手段を備えた健診情報処理装置で読み取り実行可能なプログラムあって、
前記健診情報処理装置を、
前記記憶手段に記憶されている特定情報により特定される前記所定の健診情報である第１の健診情報を、前記携帯記録媒体に記憶されている複数の健診情報から特定して取得する取得手段と、
前記取得手段で取得された前記第１の健診情報を前記第１の健診機器に送信する送信手段として機能させることを特徴とするプログラム。
【請求項７】
複数の健診機器で測定されたそれぞれの健診情報が記録される携帯記録媒体と、第１の健診機器と、健診情報処理装置とを含む健診情報処理システムであって、
前記健診情報処理装置は、
前記第１の健診機器に送信するべき所定の健診情報を前記携帯記録媒体に記憶されている複数の健診情報から特定するための特定情報を記憶する記憶手段と、
前記記憶手段に記憶されている特定情報により特定される前記所定の健診情報である第１の健診情報を、前記携帯記録媒体に記憶されている複数の健診情報から特定して取得する取得手段と、
前記取得手段で取得された前記第１の健診情報を前記第１の健診機器に送信する送信手段と、
を備え、
前記第１の健診機器は、
前記送信手段により前記健診情報処理装置から送信された当該第１の健診情報を出力する出力手段と、
を備えることを特徴とする健診情報処理システム。
【請求項８】
前記記憶手段に記憶されている特定情報は、前記受付手段により受け付けた健診科目で測定される健診機器である前記第１の健診機器に送信するべき所定の健診情報として、前記受付手段により受け付けた健診科目で測定される健診機器である第２の健診機器で測定された第２の健診情報をも特定する情報であり、
前記取得手段は、前記第２の健診機器で測定された第２の健診情報を更に取得でき、
前記送信手段は、更に、前記取得手段で取得した前記第１の健診情報と前記第２の健診情報とを、前記第１の健診機器に送信することを特徴とする請求項７に記載の健診情報処理システム。
【請求項９】
前記送信手段は、更に、前記取得手段で取得した前記第２の健診情報を前記第１の健診機器に送信し、
前記出力手段は、更に、前記送信手段により前記健診情報処理装置から送信された当該前記第２の健診情報を出力することを特徴とする請求項８に記載の健診情報処理システム。
【請求項１０】
前記出力手段は、更に、前記第１の健診機器で測定された第３の健診情報を出力することを特徴とする請求項７乃至９のいずれか１項に記載の健診情報処理システム。
【手続補正２】
【補正対象書類名】明細書
【補正対象項目名】全文
【補正方法】変更
【補正の内容】
【発明の詳細な説明】
【技術分野】
【０００１】
本発明は、健診情報処理装置、健診情報処理方法、プログラム、健診情報処理システムに関し、特に、各種健診機器で測定された健診情報を端末経由で各受診者が携帯する記録媒体に記録して健診情報の回収を行う健診情報処理システムに関する。
【背景技術】
【０００２】
現在、学校や会社等に医者や看護士等（以下、「測定者」という。）が出張して健康診断を行う、いわゆる出張健診が一般的に行われている。  例えば、従来の出張健診では、測定者が行った健診結果（健診情報）を健康診断票（紙）に記載していたが、近年、情報収集の効率化等のため、健康診断票（紙）の代わりにＩＣカード等の携帯可能な記録装置を用いている（例えば、特許文献１参照。）。    
【特許文献１】特開平１１−２１３０６１号公報
【発明の開示】
【発明が解決しようとする課題】
【０００３】
しかしながら、従来、診断を行うために、例えば心電図計測器から健診結果を出力する際に、他の健診結果（健診情報）や受信者情報等を出力することが出来なかった。そのため、健康診断を行う者が適正な診断を行うことが困難であった。  
【０００４】
また、例えば、適正な心電図の診断を行うために必要な健診科目の健診情報を、心電図での健診で出力される用紙（健診結果）に印字させるために、心電図の健診の前に必要な健診科目の健診を行わせることが困難であった。  
【０００５】
また、健診科目によっては、診察を行うために他の健診結果及び／又は受診者情報等を必要としないものがあるが、従来、健診科目に応じて、他の健診結果及び／又は受診者情報等を健診機器に送信するかを切り換えること出来なかった。  
【０００６】
本発明は、携帯記録媒体に記憶された情報を出力するべく健診機器に送信することで診察を行いやすくすることを目的とする。
【課題を解決するための手段】
【０００７】
本発明は、複数の健診機器で測定されたそれぞれの健診情報が記録される携帯記録媒体と、第１の健診機器と通信可能な健診情報処理装置であって、前記第１の健診機器に送信するべき所定の健診情報を前記携帯記録媒体に記憶されている複数の健診情報から特定するための特定情報を記憶する記憶手段と、前記記憶手段に記憶されている特定情報により特定される前記所定の健診情報である第１の健診情報を、前記携帯記録媒体に記憶されている複数の健診情報から特定して取得する取得手段と、前記取得手段で取得された前記第１の健診情報を前記第１の健診機器に送信する送信手段と、を備えることを特徴とする。
【０００８】
本発明は、複数の健診機器で測定されたそれぞれの健診情報が記録される携帯記録媒体と、第１の健診機器と通信可能であり、前記第１の健診機器に送信するべき所定の健診情報を前記携帯記録媒体に記憶されている複数の健診情報から特定するための特定情報を記憶する記憶手段を備えた健診情報処理装置における健診情報処理方法であって、前記健診情報処理装置の取得手段が、前記記憶手段に記憶されている特定情報により特定される前記所定の健診情報である第１の健診情報を、前記携帯記録媒体に記憶されている複数の健診情報から特定して取得する取得工程と、前記健診情報処理装置の送信手段が、前記取得工程で取得された前記第１の健診情報を前記第１の健診機器に送信する送信工程と、を備えることを特徴とする。  
【０００９】
本発明は、複数の健診機器で測定されたそれぞれの健診情報が記録される携帯記録媒体と、第１の健診機器と通信可能であり、前記第１の健診機器に送信するべき所定の健診情報を前記携帯記録媒体に記憶されている複数の健診情報から特定するための特定情報を記憶する記憶手段を備えた健診情報処理装置で読み取り実行可能なプログラムであって、前記健診情報処理装置を、前記記憶手段に記憶されている特定情報により特定される前記所定の健診情報である第１の健診情報を、前記携帯記録媒体に記憶されている複数の健診情報から特定して取得する取得手段と、前記取得手段で取得された前記第１の健診情報を前記第１の健診機器に送信する送信手段として機能させることを特徴とする。
また、本発明は、複数の健診機器で測定されたそれぞれの健診情報が記録される携帯記録媒体と、第１の健診機器と、健診情報処理装置とを含む健診情報処理システムであって、前記健診情報処理装置は、前記第１の健診機器に送信するべき所定の健診情報を前記携帯記録媒体に記憶されている複数の健診情報から特定するための特定情報を記憶する記憶手段と、前記記憶手段に記憶されている特定情報により特定される前記所定の健診情報である第１の健診情報を、前記携帯記録媒体に記憶されている複数の健診情報から特定して取得する取得手段と、前記取得手段で取得された前記第１の健診情報を前記第１の健診機器に送信する送信手段と、を備え、前記第１の健診機器は、前記送信手段により前記健診情報処理装置から送信された当該第１の健診情報を出力する出力手段と、を備えることを特徴とする。
【発明の効果】
【００１０】
本発明によれば、携帯記録媒体に記憶された情報を出力するべく健診機器に送信することで診察を行いやすくさせることが可能となる。
【発明を実施するための最良の形態】
【００１１】
以下、本発明の実施の形態について図面を参照しながら説明する。  
【００１２】
まず、本発明の実施の形態に係る健診情報処理システムについて説明する。  
【００１３】
図１は、本実施の形態に係る健診情報処理システムのシステム構成を示すブロック図である。  
【００１４】
図１において、１００は受付端末である。受付端末１００は、ハンディターミナル又はノート型パーソナルコンピュータ等であり、記録媒体１６０のためのリーダ／ライタ２０７（図２）が設けられている。受付端末１００は、このリーダ／ライタ２０７を介して、記録媒体１６０にデータを記憶させることや、記録媒体１６０に記憶されたデータを読み出して取得することができる。  
【００１５】
また、受付端末１００には、不図示のバーコードリーダが接続されている。  
【００１６】
そして、受付端末１００のメモリ２０２（図２）には、受診予定の全ての受診者毎に、受診者ＩＤ（受診者を識別する識別情報）、健診番号、氏名、性別、年齢、生年月日等の受診者情報が記憶されている。  
【００１７】
更に、受付端末１００のメモリ２０２には、受診予定の全ての受診者毎に、健診科目ＩＤ（健診科目を識別する識別情報）、今回の健康診断で受診予定の健診科目と受診予定ではない健診科目とを識別する識別情報（フラグ）（健診予定情報）が、それぞれ記憶されている（図１０）。これら受診者情報と健診科目ＩＤと健診予定情報とが記憶されたテーブル（図１０）を健診テーブルと呼ぶことにする。ここで、健診科目とは、例えば、身長・体重、血圧、腹囲、視力等の健診の種類（区分）のことである。  
【００１８】
また、更に、受付端末１００のメモリ２０２（図２）には、受診予定の全ての受診者毎に、各健診科目の過去の健診結果（健診情報とも言う）が記憶されている（図１１）。  
【００１９】
この各健診科目の過去の健診結果が記憶されたテーブル（図１１）を過去健診テーブルと呼ぶことにする。  
【００２０】
また、受付端末１００のメモリ２０２（図２）には、上記バーコードリーダにより読み取られたバーコードを識別して文字データに変換する変換プログラムと、後述する受付処理プログラム（図３）とが記憶されている。  
【００２１】
管理端末１５０は、受付端末１００と同様に、ハンディターミナル又はノート型パーソナルコンピュータ等であり、記録媒体１６０のためのリーダ／ライタ２０７（図２）が設けられている。管理端末１５０は、このリーダ／ライタ２０７を介して、記録媒体１６０にデータを記憶させることや、記録媒体１６０に記憶されたデータを読み出して取得することができる。  
【００２２】
また、管理端末１５０のメモリ２０２（図２）には、健診結果ファイルと、後述する回収処理プログラム（図９）とが記憶されている。  
【００２３】
健診端末Ａ（１１１）〜Ｎ（１２９）（健診情報処理装置）は、ハンディターミナル又はノート型パーソナルコンピュータ等であり、記録媒体１６０のためのリーダ／ライタ２０７（図２）が設けられている。健診端末は、このリーダ／ライタ２０７を介して、記録媒体１６０にデータを記憶させることや、記録媒体１６０に記憶されたデータを読み出して取得することができる。  
【００２４】
健診端末Ａ（１１１）〜Ｎ（１２９）のメモリ２０２（図２）には、図４に示す処理を行う制御プログラムと、図５乃至図７並びに図１９及び図２５に示す処理を行う処理プログラムと、各プログラムで使用する画面情報（ディスプレイ２０５に図１７乃至図１８に示す画面を表示するためのデータであり、各プログラムの中に含めてもよい）と、メニュー（図１７）に表示される各健診科目とそれに対応した処理プログラムとを関連付けるための関連付情報ファイル（図１４乃至図１５）と、各健診機器（１１０〜１２８）の機器設定情報（健診端末Ａ（１１１）〜Ｎ（１２９）の設定情報）と、各健診機器とのデータのやり取りに用いられる通信プログラム（Ｂｌｕｅｔｏｏｔｈ，ＩｒＤＡ，ＴＣＰ／ＩＰ等の各通信手順やプロトコルに対応した通信プログラム）と、が記憶されている。ここで、関連付情報ファイルを記憶させているのは、健診科目毎に処理プログラムが異なるためである。  
【００２５】
なお、上記各通信プログラムの少なくとも一部をオペレーティングシステムプログラムに含めてもよい。  
【００２６】
各健診端末の全てに同一のプログラム（制御プログラム、健診科目毎に対応した処理プログラム、健診科目毎又は健診機器毎に対応した通信プログラム及びこれらプログラムにより表示される画面の画面情報や関連付情報ファイル）と全健診機器の機器設定情報とが記憶されているので、全ての健診端末をどの健診科目でも使用することが可能となる。  
【００２７】
すなわち、健診端末に表示されたメニュー画面の複数の健診科目の中から一つの健診科目を選択するだけで、任意の健診端末を任意の健診科目で使用することができる。  
【００２８】
健診機器Ａ（１１０）〜Ｎ（１２８）は、健診に使用する、例えばＸ線撮影装置や血圧計、心電図測定器等の各種検査機器であり、健診端末Ａ（１１１）〜Ｎ（１２９）と通信可能に接続されている。  
【００２９】
健診機器は、健診端末との通信を可能にするために、例えばＢｌｕｅｔｏｏｔｈやＩｒＤＡ等の無線又は、ＵＳＢやＩＥＥＥ１３９４、パラレル転送用ケーブル等の有線の外部インタフェースを備えている。このように外部インタフェースの種類が健診機器を提供している会社により異なることが多いため、健診端末のメモリ２０２に複数の通信プログラムを記憶している。  
【００３０】
記録媒体１６０は携帯可能な記録媒体（携帯記録媒体とも言う）であって、例えばＲＦ−ＩＤやＩＣカード等である。この携帯記録媒体は、後述する図１２、図１３の情報を記憶することができる。  
【００３１】
図１において、健診機器Ａ１１０と健診端末Ａ１１１のように２つが実線で結ばれている場合は、両者がケーブル（有線）で接続されていることを示している。健診機器Ｄ１１６と健診機器Ｅ１１７は、それぞれ健診端末Ｄ１１８と通信可能に接続されている。また、健診機器Ｂ１１２と健診端末Ｂ１１３のように２つが破線で結ばれている場合は両者が無線や赤外線で接続されていることを示している。また、健診機器Ｃ１１４と健診端末Ｃ１１５のように２つが結ばれていない場合は両者が通信可能に接続されていないこと示す。このような場合は、健診機器Ｃ１１４で測定された健診結果（検査結果）を測定者が見て、測定者がその結果を健診端末Ｃ１１５に手入力し、健診端末Ｃ１１５が手入力されたデータを記録媒体１６０に記録させている。  
【００３２】
図２は、図１における各種端末（受付端末、各健診端末、管理端末）のハードウェア構成を示すブロック図である。  
【００３３】
図２において、ＣＰＵ２０１、メモリ２０２、ＲＯＭ２０３、通信アダプタ２０４、ディスプレイ２０５、キーボード２０６、及びリーダ／ライタ２０７はそれぞれシステムバス２００を介して互いに接続されている。  
【００３４】
システムバス２００は、例えば、ＰＣＩバス、ＡＧＰバス、メモリバス等を意味する。また、図２では、各バス間の接続用チップやキーボードインタフェースやディスプレイインタフェース等の各種インタフェースは省略されている。  
【００３５】
ＣＰＵ２０１は、四則演算や比較演算等の各種の演算や、ハードウェアやソフトウェアの制御を行う。メモリ２０２は、オペレーティングシステムや以下に示す各端末で実行される処理のステップに対応する部分を実行するためのアプリケーションプログラム（画面表示のための画面情報を含む）や、前述した各種データやファイルを記憶しており、本実施の形態ではメモリ２０２は不揮発性のメモリを使用している。  
【００３６】
なお、各種端末に不図示のハードディスクや、大容量フラッシュメモリ等により構成されるいわゆるシリコンディスクを更に備え、このハードディスクやシリコンディスクにオペレーティングシステムのプログラムやアプリケーションプログラム等を記憶し、実行時にはこのハードディスクやシリコンディスクから各プログラムをメモリ２０２に読み出して実行する形態も可能である。  
【００３７】
ＲＯＭ２０３には、オペレーティングシステムと協働してハードディスク等への入出力を司るいわゆるＢＩＯＳ等が記憶される。  
【００３８】
通信アダプタ２０４は、ＣＰＵ２０１によって制御されるオペレーティングシステムの通信プログラムと協働して不図示の通信回線を介した外部との通信を行う。  
【００３９】
ディスプレイ２０５（表示部）は、画面を表示し、タッチパネルを兼ねており、キーボード２０６は各種指示や数値を入力するために用いられる。  
【００４０】
リーダ／ライタ２０７は、記録媒体１６０からデータを読み込んだり、逆に記録媒体１６０にデータを書き込むためのものである。なお、読み込み／書き込みの方法は、記録媒体１６０をリーダ／ライタ２０７に挿入／接触させる接触式であるか、データの読み書きのために記録媒体１６０とリーダ／ライタ２０７とが接触する必要がない非接触式であるかは問わない。また、リーダ／ライタ２０７は記録媒体１６０の種類に対応してデータの記憶／更新ができるものを使用する。  
【００４１】
次に、図１における健診端末（健診情報処理装置）が備える機能について説明する。  
【００４２】
次に、図１における受付端末が実行する受付処理について説明する。  
【００４３】
図３は、図１における受付端末が実行する受付処理の手順を示すフローチャートである。本処理は、受付端末１００のＣＰＵ２０１がメモリ２０２に記憶された受付処理プログラムを読み出して実行することにより実現される。  
【００４４】
図３において、まず、受付端末１００のＣＰＵ２０１は、受付端末１００のディスプレイ２０５に図１６に示すような受付入力画面を表示する（ステップＳ３０１）。  
【００４５】
そして、受付端末１００のＣＰＵ２０１は、受付端末１００のユーザにより当該受付入力画面の受診者情報読込ボタン１６７が押下されることにより受診者情報の読み込み指示を受け付けると（ステップＳ３０２）、受付端末１００のメモリ２０２に記憶された全受診者の受診者情報を読み出す（ステップＳ３０３）。  
【００４６】
そして、図１６に示す受付入力画面の受診票スキャン１６５ボタンが押下されることにより受診票の読み込み指示がなされると（ステップＳ３０４）、受付端末１００のＣＰＵ２０１は、受付端末１００と通信可能に接続された不図示のスキャナにセットされた、受診者が持参した受診票に記載されたバーコード（各受診者が自覚症状等を記入する一種の問診票）をスキャンして読み込む。  
【００４７】
そして、受付端末１００のＣＰＵ２０１は、読み取ったバーコードを変換プログラムによって受診者ＩＤに変換して受付端末１００のメモリ２０２に記憶する（ステップＳ３０５）。  
【００４８】
次に、受付端末１００のＣＰＵ２０１は、ステップＳ３０５で変換された受診者ＩＤがステップＳ３０３で読み出した受診者情報の中に含まれているか否かを判別する（ステップＳ３０６）。  
【００４９】
受付端末１００のＣＰＵ２０１は、ステップＳ３０５で変換された受診者ＩＤがステップＳ３０３で読み出した受診者情報の中に含まれていないと判別した場合は（ステップＳ３０６でＮＯ）、エラーメッセージを受付端末１００のディスプレイ２０５に表示する（ステップＳ３０７）。その後、受付入力画面（図１６）を表示し、ステップＳ３０４に戻る。  
【００５０】
一方、ステップＳ３０５で変換された受診者ＩＤがステップＳ３０３で読み出した受診者情報の中に含まれていると判別した場合は（ステップＳ３０６でＹＥＳ）、健診テーブル（図１０）と過去健診テーブル（図１１）との中から、当該受診者ＩＤに対応する、受診者情報と健診科目ＩＤと健診予定情報と各健診科目の過去の健診情報（健診結果）と
を検索して読み出す（ステップＳ３０８）。  
【００５１】
そして、受付端末１００のＣＰＵ２０１は、読み出された、受診者情報と健診科目ＩＤと健診予定情報と各健診科目の過去の健診情報（健診結果）とを携帯記録媒体１６０に記憶させるべく送信して（ステップＳ３０９）、本処理を終了する。図１３は、このようにして携帯記録媒体１６０に記録させたデータの一例である。  
【００５２】
ここで、図１０、図１１、図１３のテーブルについて説明する。  
【００５３】
まず、図１０のテーブルについて説明する。  
【００５４】
図１０は、受付端末１００のメモリ２０２に記憶された健診テーブルの一例である。  
【００５５】
健診テーブルには、受診者ＩＤと、該受診者ＩＤに対応する受診者の氏名、性別等の受診者情報と、健診科目毎に今回の健診で受診が予定されているか否かを示す識別情報（受診予定の健診科目には「○」が、また、受診予定ではない健診科目には「×」が識別情報として記憶されている）とが全ての受診予定者分、記憶されている。  
【００５６】
また、健診科目を識別する識別情報として健診科目ＩＤが健診科目毎に記憶されている。図１０の例では、健診科目ＩＤ「Ａ」は、健診科目「身長測定」を示し、健診科目ＩＤ「Ｂ」は、健診科目「体重測定」を示している。  
【００５７】
受診者ＩＤが「１」のデータを見てみると、氏名は「田中」であり、今回の健診では「身長測定」、「体重測定」、「血圧測定（上・下）」、「腹囲測定」を行わなければならないことがわかる。  
【００５８】
次に、図１１のテーブルについて説明する。  
【００５９】
図１１は、受付端末１００のメモリ２０２に記憶された過去健診テーブルの一例である。  
【００６０】
過去健診テーブルには、受診者ＩＤと、該受診者ＩＤに対応した受診者の各健診科目の以前（前回）の健診結果とが全ての受診予定者分、記憶されている。  
【００６１】
過去健診テーブルも健診テーブルと同様に各健診科目毎に健診科目を識別する識別情報を記憶している。  
【００６２】
ここで、図１１の受診者ＩＤが「１」のデータを見てみると、田中さん（氏名）の過去の健診結果は、「身長」が１７０ｃｍ、「体重」が５０Ｋｇ、「血圧（上）」が２５０ｍＨｇ、「血圧（下）」が５０ｍＨｇ、「腹囲」が８０ｃｍ、「視力（右）」が１．５、「視力（左）」が１．５であることがわかる。  
【００６３】
次に、図１３のテーブルについて説明する。  
【００６４】
図１３は、図３におけるステップＳ３０９で受付端末１００から携帯記録媒体１６０に記憶されたテーブルの一例であって、受診者情報と、全ての健診科目ＩＤと、該健診科目ＩＤ毎に過去の健診結果（健診情報）と、健診予定情報とを含んでいる。なお、図８のテーブルは受診予定ではない健診科目の情報を携帯記録媒体１６０に記憶させない場合の例である。  
【００６５】
図１３の例では、受診者ＩＤが「１」の氏名は「田中」であり、性別は男性であることを示している。また、健診科目が「身長測定」を示す健診科目ＩＤ「Ａ」に紐付いて、今回の健診で受診予定であることを示す識別子「○」（健診予定情報）が記憶されている。そして、「身長測定」を示す健診科目ＩＤ「Ａ」に紐付いて、過去（前回）の健診結果である「１７０ｃｍ」が記憶されている。  
【００６６】
健診科目「体重測定」についても同様に、健診科目ＩＤ「Ｂ」に紐付いて、今回の健診で受診予定であることを示す識別子「○」（健診予定情報）が記憶されている。そして、「体重測定」を示す健診科目ＩＤ「Ｂ」に紐付いて、過去（前回）の健診結果である「５０Ｋｇ」が記憶されている。  
【００６７】
また、健診科目が「視力測定（右目）」を示す健診科目ＩＤ「Ｆ」に紐付いて、今回の健診で受診予定ではないことを示す識別子「×」（健診予定情報）が記憶されている。そして、「視力測定（右目）」を示す健診科目ＩＤ「Ｆ」に紐付いて、過去（前回）の健診結果である「１．５」が記憶されている。  
【００６８】
以上のように、ステップＳ３０９では、健診テーブル（図１０）と過去健診テーブル（図１１）とから、ステップＳ３０５で変換された受診者ＩＤのみのレコードを抽出した、受診者ＩＤの受診者情報と、健診科目ＩＤと、該健診科目ＩＤ毎の、過去の健診結果（健診情報）と、健診予定情報とを携帯記録媒体１６０に記録させる。  
【００６９】
なお、記録媒体１６０にコントローラが内蔵されている場合、記録媒体１６０のコントローラは、ステップＳ３０９で送信されたデータを記録媒体１６０の不図示の記憶部に書込む（記憶する）。  
【００７０】
また、図１２は、携帯記録媒体１６０に記憶されるテーブルの一例であり、図１３に記憶された健診科目ＩＤと同じ健診科目ＩＤと、当該健診科目ＩＤ毎に、今回の健診で受診済みの健診科目を識別する識別情報（図１２の例では「○」）や、今回の健診でまだ受診していない健診科目を識別する識別情報（図１２の例では「×」）や、今回の健診で後日再度健診を受診しなければならない健診科目を識別する識別情報（図１２の例では「―」）や、今回の健診で当日中に再度健診を受診しなければならない健診科目を識別する識別情報（図１２の例では「＊」）が記憶されている。これらの識別情報を総称して健診経過情報と呼ぶことにする。  
【００７１】
また、受診済みで、健診機器から得られた健診結果も、各健診科目毎に記憶することができる。  
【００７２】
ステップＳ３０９で送信されたデータを記録媒体１６０の不図示の記憶部に記憶させる場合、図１２に示す各健診科目ＩＤを記憶すると共に、各健診科目ＩＤに対応した健診経過情報と健診結果とを記憶する記憶領域を確保しておく。  
【００７３】
次に、図１における各健診端末が実行する制御処理について説明する。  
【００７４】
図４は、図１における各健診端末が実行する制御処理の手順を示すフローチャートである。なお、本処理は、各健診端末（健診端末Ａ（１１１）〜Ｎ（１２９））のＣＰＵ２０１がメモリ２０２に記憶される制御プログラムを読み出して実行することにより実現される。また、以下では健診端末Ａ１１１が実行する制御処理について説明するが、他の健診端末においても同様の処理が実行される。  
【００７５】
図４において、まず、健診端末Ａ１１１の電源が入り健診端末Ａ１１１が起動されると、健診端末Ａ１１１のＣＰＵ２０１は、図１７に示すような健診システムメニューを初期メニュー画面としてディスプレイ２０５に表示する（ステップＳ４０１）。具体的には、ＣＰＵ２０１は、図１４に示すような関連付情報ファイルをメモリ２０２から読み出して、該読み出した関連付情報ファイル内のメニュー情報（メニューＮｏ．、メニュー名（健診科目）等）に基づいて図１７に示す健診システムメニューを表示するように制御する。  
【００７６】
図１４は、関連付情報ファイルの一例であり、図１４に示すように関連付情報ファイルは、メニューＮｏ．、メニュー名（健診科目）、メニュー（健診科目）を選択した場合に実行する処理プログラム名、選択された健診科目の健診機器の設定情報を記録した機器情報ファイル名、選択された健診科目に対応する健診科目ＩＤ等の情報を含む。  
【００７７】
図１７は、健診端末の初期メニュー画面の一例である。図１７の初期メニュー画面における各種設定ボタン１７２が押下されると、サブメニュー（図示しない）が表示される。そして、表示されたサブメニューにて入力や編集を行うことで、ＢｌｕｅｔｏｏｔｈやＩｒＤＡ等の各種通信手順の設定や新たな健診機器の設定ファイルの読込み等を実行することができ、これらの各設定データはメモリ２０２に記憶される。  
【００７８】
図４に戻り、各健診科目のプログラムを起動するためのタッチボタンである図１７に示す健診システムメニューの「１．視力検査」〜「１１．癌簡易検査」のいずれかのボタン（例えば「１０．身長・体重」ボタン）が押下されて、選択ボタン１７４のボタンが押下されることによりメニューが選択されると（ステップＳ４０２）、選択されたメニューのプログラムに対応する第２の閾値（図２３）及び第３の閾値（図２４）を取得する（ステップＳ４０３）。また、このときに、選択されたメニュー（健診科目）に対応する健診科目ＩＤを図１４の関連付け情報ファイルから取得する。  
【００７９】
即ち、ＣＰＵ２０１は、ディスプレイ２０５に表示される複数の健診メニュー（例えば、「１．視力検査」〜「１１．癌簡易検査」など）から、いずれかの健診メニューが、ユーザによって選択されることを受付ける。そして、ＣＰＵ２０１は、ユーザによって選択された健診メニューに対応する第２の閾値と第３の閾値とを取得する。  
【００８０】
ここで、第２の閾値とは、健診機器から取得した測定値（データ）から、明らかに病気であるか否かを判定するための値である。即ち、測定値と第２の閾値とを比較することで、病気であるか否かを判定することが可能である。また、第３の閾値とは、今回、健診機器から取得した測定値（データ）と、前回、測定した際の測定値との差を算出し、算出された差から、健康状態が悪化しているか否かを判定するための値である。即ち、当該差と第３の閾値とを比較することで、健康状態が悪化しているか否かを判定することが可能である。図２３、図２４は、それぞれ、全ての健診科目における第２の閾値と第３の閾値とを示したデータである。ステップＳ４０２で選択されたメニューが「身長・体重」（メニューＮＯ．が「１０」）であれば、当該「身長・体重」に対応するプログラム名「ｐｒｏｈｉｇｗｅｉ」が実行される（図１４）。そして、全ての健診科目における第２の閾値（図２３）と第３の閾値（図２４）とから、健診科目「身長・体重」に対応する第２の閾値及び第３の閾値のみを取得する。  
【００８１】
次いで、健診端末Ａ１１１のＣＰＵ２０１は、メモリ２０２に記憶されている関連付け情報ファイルに図１５に示すように同一選択されたメニューに対して複数のメニューＮｏ．（１−１と１−２）が存在するか否かを判別する（ステップＳ４０４）。図１５は、関連付情報ファイルの他の例である。  
【００８２】
ステップＳ４０４の判別の結果、複数のメニューＮｏ．が存在するとき（ステップＳ４０４でＹＥＳ）、つまり例えばメニューＮｏ．に枝番がついている場合は、この複数の機器情報ファイルに対応する機器情報ファイル名から機器名称を読み出して不図示の画面に表示し（ステップＳ４０５）、複数のうちの一つがタッチにより選択されると（ステップＳ４０６）、処理をステップＳ４０７に進める。  
【００８３】
ステップＳ４０４の判別の結果、複数のメニューＮｏ．が存在しないときは（ステップＳ４０４でＮＯ）、そのまま処理をステップＳ４０７に進める。  
【００８４】
次いで、ステップＳ４０７では、選択されたメニューＮｏ．（及び機器）に基づいて、メモリ２０２に記憶されている図１４又は図１５に示す関連付け情報ファイルの選択されたメニューＮｏ．に該当する機器情報ファイル名をメモリ２０２のワークエリアに読込む。例えば、関連付け情報ファイルが図１４に示す内容であり、「１０．身長・体重」が選択された場合は、健診端末Ａ１１１のＣＰＵ２０１は、選択に応じて機器情報ファイル名「ｆａｓｈｉｇｗｅｉ」及び対応する処理プログラム名「ｐｒｏｈｉｇｗｅｉ」を読み込む。  
【００８５】
次いで、ステップＳ４０８では、読み込まれた機器情報ファイル名の機器情報ファイルを読み込む。ここで、機器情報ファイルとは、機器毎に設定された情報であって、例えば、当該機器毎と通信するために必要な設定情報や、該機器毎の測定可能なデータ範囲（図２２に示す第１の閾値テーブルが機器毎に設定されている）などがある。  
【００８６】
次いで、ステップＳ４０９では、予め設定された全ての健診科目のうち、ステップＳ４０２で選択されたメニューに対応し、且つステップＳ４０６で選択された機器に対応する第１の閾値を第１の閾値テーブル（図２２）から取得する（ステップＳ４０９）。具体的には、ステップＳ４０６で選択された機器に対応する第１の閾値テーブル（図２２）から、ステップＳ４０２で「身長・体重」が選択されると
、第１の閾値として、「上限：２５０，下限：０」のみを取得する。  
【００８７】
次いで、健診端末Ａ１１１のＣＰＵ２０１は、ステップＳ４０７で読み込んだプログラム名のプログラムを実行し（ステップＳ４１０）、処理プログラム画面をディスプレイ２０５に表示して（ステップＳ４１１）、本処理を終了する。  
【００８８】
本処理におけるステップＳ４１０では、ステップＳ４０２で「視力」が選択されると、処理プログラム名「ｐｒｏｅｙｓｇｈｔ」を実行し、ステップＳ４１１では図１８に示すような視力を測定するための画面をディスプレイ２０５に表示する。図１８は、健診端末の処理プログラム画面の一例である。  
【００８９】
図４の制御処理によれば、操作者が選択したメニューに対応する処理プログラムが実行されて、所望の健診科目における処理を実行できる。  
【００９０】
次に、本実施の形態に係る健診情報処理システムが実行する健診情報処理について説明する。  
【００９１】
図５は、本実施の形態に係る健診情報処理システムが実行する健診情報処理の手順を示すシーケンス図である。なお、図５のステップＳ５０１及びステップＳ５０２、ステップＳ５０４乃至ステップＳ５１１、ステップＳ５１７乃至ステップＳ５２２は各健診端末のＣＰＵ２０１がメモリ２０２に記憶される、健診科目の処理プログラムを読み出して実行することにより実現される。また、ステップＳ５１２乃至ステップＳ５１６は各健診機器のＣＰＵ２０１がメモリ２０２に記憶されるプログラムを読み出して実行することにより実現される。  
【００９２】
以下、健診端末Ａ１１１、健診機器Ａ１１０で実行されるものとして説明する。また、以下では、図１７に示す健診システムメニューで「１．視力検査」ボタン１７１が押下され、図１８に示す視力測定用の画面が健診端末Ａ１１１のディスプレイ２０５に表示される場合について説明する。なお、本処理では、検査データの送信を健診機器側の操作で開始しているため（後述するステップＳ５１４）、図１８の画面にはデータ受信ボタンは存在しない。  
【００９３】
図５において、まず、健診端末Ａ１１１のＣＰＵ２０１は、健診端末Ａ１１１のリーダ／ライタ２０７にカード（記録媒体１６０）がかざされた（タッチされた）ことを判定する（ステップＳ５０１）。  
【００９４】
記録媒体１６０がリーダ／ライタ２０７にタッチされたことを判定すると、健診端末Ａ１１１のＣＰＵ２０１は、リーダ／ライタ２０７を介して記録媒体１６０に対して、ステップＳ４０３で取得した健診科目ＩＤに対応する、前回の健診結果（健診情報）と健診予定情報と健診経過情報とを読み出す処理を行う（ステップＳ５０２，５０３）。具体的には、健診端末Ａ１１１のＣＰＵ２０１は、まず、ステップＳ４０３で取得した健診科目ＩＤを記録媒体１６０に送信すると共に、当該健診科目ＩＤに対応する、前回の健診結果（健診情報）と健診予定情報と健診経過情報との読取要求を、記録媒体１６０に対して行う（ステップＳ５０２）。そして、健診端末Ａ１１１のＣＰＵ２０１は、記録媒体１６０から、受診者情報と、当該健診科目ＩＤに対応する前回の健診結果（健診情報）と、健診予定情報と、健診経過情報とを読み込む（ステップＳ５０３）。ここで、ステップＳ４０２で選択された健診科目に対応する健診科目ＩＤを、図１４又は図１５に示す関連付け情報ファイルから読み出し、図１３に記憶された当該健診科目ＩＤに紐付けられた前回の健診結果を取得する。  
【００９５】
次いで、健診端末Ａ１１１のＣＰＵ２０１は、ステップＳ５０３で受診者情報（受診者ＩＤ、性別、氏名など）を記録媒体１６０から取得できたか否かを判別し（ステップＳ５０４）、受診者ＩＤ、性別、氏名の何れか１つを取得できなかったと判別した場合は（ステップＳ５０４でＮＯ）、エラーメッセージ（警告画面）を表示して（ステップＳ５０５）、ステップＳ５０１の処理へ戻り、再度、記録媒体１６０の読込みを待機する。  
【００９６】
また、健診端末Ａ１１１のＣＰＵ２０１は、全ての受診者情報（受診者ＩＤ、性別、氏名）を取得できたと判別した場合は（ステップＳ５０４でＹＥＳ）、当該取得した受診者情報を健診端末Ａ１１１のディスプレイ２０５に表示する（ステップＳ５０６）。表示画面の一例を図１８に示す。図１８の表示画面の「ＩＤ」の部分に、受診者ＩＤが表示され、「氏名」の部分には、受診者の氏名が表示される。また、性別は、受診者ＩＤの右に表示されている。  
【００９７】
次いで、後述する図６の健診状況表示処理を実行して、健診状況を表示する（ステップＳ５０７）。  
【００９８】
次いで、健診端末Ａ１１１のＣＰＵ２０１は、記録媒体１０６に記憶されている、ステップＳ４０３で取得した健診科目ＩＤに対応する前回の健診結果を取得できたか否かの判別を行う（ステップＳ５０８）。そして、取得できたと判別した場合は（ステップＳ５０８でＹＥＳ）、取得した当該健診科目の前回の健診結果を健診端末Ａ１１１のディスプレイ２０５（表示部）に表示する（ステップＳ５１０）。  
【００９９】
一方、取得できなかった場合は（ステップＳ５０８でＮＯ）、後述する図７の過去健診情報表示処理を実行する（ステップＳ５０９）。  
【０１００】
そして、過去の健診結果を表示し（ステップＳ５１０）、健診機器Ａ１１０からの検査データ（今回の健診での検査結果）の受信待ち状態となり（ステップＳ５１１）、健診機器から検査データの受信を検知すると、処理をステップＳ５１７に進める。  
【０１０１】
一方、健診機器Ａ１１０は、検査データの計測（身長及び体重の計測）を実行し（ステップＳ５１２）、計測が終了した後に、健診機器Ａ１１０の表示部に表示された送信ボタン（図示しない）が測定者により押下されたことを認識すると（ステップＳ５１３）、健診機器Ａ１１０は、検査データを健診端末Ａ１１１に送信する（ステップＳ５１４）。  
【０１０２】
そして、健診機器Ａ１１０は、検査データを正常に送信し終わると（ステップＳ５１１）、検査データを健診機器Ａ１１０のメモリ（図示しない）内の保存エリアに記憶する（ステップＳ５１６）と共に、メモリのワークエリア中の最新の検査データ（表示用及び送信用の検査データ）をクリアして、次の計測開始を待つように制御する。  
【０１０３】
なお、健診機器Ａ１１０は、ステップＳ５１４において検査データの送信が正常に終了しなかった場合は、タイムアウトになるまで検査データを再送し、タイムアウトになった場合は、当該健診機器Ａ１１０のディスプレイ（図示しない）にエラーメッセージ（警告画面）を表示する。  
【０１０４】
次いで、健診端末Ａ１１１のＣＰＵ２０１は、健診機器Ａ１１０から送信された検査データ（健診結果）を受信（取得）すると、後述する図２５の警告処理を実行する（ステップＳ５１７）。  
【０１０５】
次いで、健診端末Ａ１１１のＣＰＵ２０１は、健診機器Ａ１１０から受信した検査データ（健診結果）を健診端末Ａ１１１のメモリ２０２内のワークエリアに記憶し（ステップＳ５１８）、健診端末Ａ１１１のディスプレイ２０５に当該健診結果を表示する（ステップＳ５１９）。図１８の例では、視力検査で裸眼の場合、今回の検査結果として左右の視力がそれぞれ「１．２」であることを表示している。また、前回の検査結果として、左右の視力がそれぞれ「１．５」であることを表示している。また、図１８の画面では途中ボタンと対象外ボタンとが表示される。  
【０１０６】
次いで、健診端末Ａ１１１のＣＰＵ２０１は、後述する図１９の再健診状況表示処理を実行して、健診状況の表示を行う（ステップＳ５２０）。  
【０１０７】
次いで、健診端末Ａ１１１のＣＰＵ２０１は、図１９の画面において登録ボタンが押下されると（ステップＳ５２１）、後述する図１９の処理におけるステップＳ１９０１で途中ボタンが押下されたと判別した場合は（ステップＳ１９０１でＹＥＳ）、ステップＳ４０３で取得した健診科目ＩＤ（健診科目）において当日中に再健診をしなければならないことを示すデータ「＊（当日中に再健診をしなければならないことを示す識別情報）」（健診経過情報）とステップＳ５１４で健診機器Ａ１１０から取得した健診結果とを記録媒体１６０に記録させるデータとしてセットして、ステップＳ４０３で取得した健診科目ＩＤと一致する、記録媒体１６０に記憶された（図１２の）健診科目ＩＤに当該データを紐付けて記憶させるべく、当該記録媒体１６０に送信する（ステップＳ５２２）。  
【０１０８】
ここで、ステップＳ５１４で健診機器Ａ１１０から健診結果を取得できなかった場合は、ステップＳ５２２で当日中に再健診をしなければならないことを示す健診経過情報（＊）のみを該健診科目ＩＤと紐付けて記録媒体１６０に記憶させるべく、当該記録媒体１６０に送信する。  
【０１０９】
また、健診端末Ａ１１１のＣＰＵ２０１は、図１９の画面において登録ボタンが押下されると（ステップＳ５２１）、後述する図１９の処理におけるステップＳ１９０３で対象外ボタンが押下されたと判別した場合は（ステップＳ１９０３でＹＥＳ）、ステップＳ４０３で取得した健診科目ＩＤ（健診科目）において後日に再健診をしなければならないことを示すデータ「―（後日、再健診をしなければならないことを示す識別情報）」（健診経過情報）とステップＳ５１４で健診機器Ａ１１０から取得した健診結果とを記録媒体１６０に記録させるデータとしてセットして、ステップＳ４０３で取得した健診科目ＩＤと一致する、記録媒体１６０に記憶された（図１２の）健診科目ＩＤに当該データを紐付けて記憶させるべく、当該記録媒体１６０に送信する（ステップＳ５２２）。  
【０１１０】
ここで、ステップＳ５１４で健診機器Ａ１１０から健診結果を取得できなかった場合は、ステップＳ５２２で後日に再健診をしなければならないことを示す健診経過情報（―）のみを該健診科目ＩＤと紐付けて記録媒体１６０に記憶させるべく、当該記録媒体１６０に送信する。  
【０１１１】
また、健診端末Ａ１１１のＣＰＵ２０１は、図１９の画面において登録ボタンが押下されると（ステップＳ５２１）、後述する図１９の処理において途中ボタンと対象外ボタンとが押下されないと判別した場合は（ステップＳ１９０３でＮＯ）、ステップＳ５１４で健診機器Ａ１１０から取得した健診結果とステップＳ４０３で取得した健診科目ＩＤ（健診科目）において受診済みであることを示すデータ「○（受診済みであることを示す識別情報）」（健診経過情報）とを、ステップＳ４０３で取得した健診科目ＩＤと一致する、記録媒体１０６に記憶された（図１２の）健診科目ＩＤに紐付けて記憶させるべく、当該記録媒体１６０に送信する（ステップＳ５２２）。  
【０１１２】
次いで、記録媒体１６０のコントローラは、健診端末Ａ１１１のリーダ／ライタ２０７を介して当該データを受信すると、健診結果又は／及び健診経過情報を記録媒体１６０内の記録部に書込む（記録する）（ステップＳ５２３）。  
【０１１３】
以上により、受診者が持ち運ぶ記録媒体１６０に、当該受診者の検査データ（健診結果）（例えば、身長・体重、ＢＭＩ値、適否判定値）が記録されることになる。  
【０１１４】
なお、健診機器Ａ１１０側にも更にリーダ／ライタ（図示しない）を備え、健診機器Ａ１１０のリーダ／ライタにおいて記録媒体１６０のタッチを検知して、健診機器Ａ１１０のリーダ／ライタが記録媒体１６０に受診者情報を要求して、リーダ／ライタが記録媒体１６０から受信した受診者情報と検査データとを一括して健診機器Ａ１１０から健診端末Ａ１１１に送信し、健診端末Ａ１１１が受診者情報と検査データとを受信して、受診者情報で突き合わせて検査データをメモリ２０２に記憶する処理を行なう構成でもよい。  
【０１１５】
また、ＢＭＩ値及び適否判定値を健診機器Ａ１１０側の不図示のステップで計算して検査データと一緒に健診端末Ａ１１１に送信してもよい。  
【０１１６】
図６は、図５におけるステップＳ５０７の健診状況表示処理の手順を示すフローチャートである。  
【０１１７】
図６において、まず、健診端末Ａ１１１のＣＰＵ２０１は、ステップＳ５０
３で読み取った、今回の健康診断で受診予定であることを示す健診予定情報（図１３の「○」）が各健診科目ＩＤ（健診科目）毎にあるか否かを判定し（ステップＳ６０１）、受診予定であることを示す健診予定情報があると判定された健診科目に対して、網掛け表示を行う（図１８、ステップＳ６０２）。  
【０１１８】
次いで、健診端末Ａ１１１のＣＰＵ２０１は、ステップＳ５０３で読み取った、受診済みであることを示す健診経過情報（図１２の「○」）が各健診科目ＩＤ（健診科目）毎にあるか否かを判定し（ステップＳ６０３）、受診済みであることを示す健診経過情報があると判定された健診科目に対して「○」を健診端末Ａ１１１のディスプレイ２０５に表示する（図１８、ステップＳ６０４）。  
【０１１９】
次いで、健診端末Ａ１１１のＣＰＵ２０１は、図４のステップＳ４０２で選択されたメニューにより起動されたプログラムから現在の健診科目を判定し（ステップＳ６０５）、当該判定された現在の健診科目に対して「◎」を健診端末Ａ１１１のディスプレイ２０５に表示する（図１８、ステップＳ６０６）。  
【０１２０】
次いで、健診端末Ａ１１１のＣＰＵ２０１は、ステップＳ５０３で読み取った、後日に再健診をしなければならないことを示す健診経過情報（図１２の「―」）が各健診科目ＩＤ（健診科目）毎にあるか否かを判定し（ステップＳ６０７）、後日に再健診をしなければならないことを示す健診経過情報があると判定された健診科目に対して「―」を健診端末Ａ１１１のディスプレイ２０５に表示する（図１８、ステップＳ６０８）。  
【０１２１】
次いで、健診端末Ａ１１１のＣＰＵ２０１は、ステップＳ５０３で読み取った、当日中に再健診をしなければならないことを示す健診経過情報（図１２の「＊」）が各健診科目ＩＤ（健診科目）毎にあるか否かを判定し（ステップＳ６０９）、当日中に再健診をしなければならないことを示す健診経過情報があると判定された健診科目に対して「＊」を健診端末Ａ１１１のディスプレイ２０５に表示する（図１８、ステップＳ６１０）。  
【０１２２】
図６の健診状況表示処理によれば、受診者が受診しなければならない健診科目が網掛け表示され、既に受診済みの健診科目が「○」で表示され、現在の健診科目が「◎」で表示されるので、受診者が今後受診すべき項目を受診者又は測定者に把握させることができる。また、健診機器の障害や受診者の体調等により、当日中の再度検査が必要な健診科目がある場合、当該健診科目に「＊」を表示させることで、測定者又は受診者に、どの健診科目を当日中に受診しなければならないかを把握させることができる。また、当日中の再検査はできないが、後日再検査が必要な健診科目がある場合は、当該健診科目に「−」を表示させることで、測定者又は受診者に、どの健診科目を後日受診しなければならないかを把握させることができる。  
【０１２３】
なお、図６の健診状況表示処理では、網掛けや「○」や「◎」や「＊」や「―」を表示したが、各健診科目を識別できればどのような表示であってもよい。具体的には、受診しなければならない健診科目を黄色で表示してもよく、現在の健診科目を淡紅色で表示してもよい。  
【０１２４】
図７は、図５におけるステップＳ５０９の過去健診情報表示処理の手順を示すフローチャートである。  
【０１２５】
図７は、図１２及び図１３に示すデータを記憶することができないほど記憶容量が小さい携帯記録媒体が用いられた場合でも、今回の健診結果と過去の健診結果との比較が必要な所定の健診科目では、今回の健診結果と過去の健診結果とを表示させるための仕組みを示している。具体的には、図１１に示す過去健診テーブルを健診端末のメモリが記憶しており、健診端末が、ステップＳ５０３で取得した受診者ＩＤに対応する過去の健診結果を健診端末に記憶された過去検診テーブルから取得する。そして、ステップＳ５１４で健診機器から取得した今回健診結果と当該過去の健診結果とを健診端末のディスプレイに表示させる処理である。  
【０１２６】
図７において、まず、健診端末Ａ１１１のＣＰＵ２０１は、ステップＳ５０３で取得した受診者ＩＤ（受信者識別情報）をキーに健診端末Ａ１１１のメモリ２０２に記憶されている過去の健診結果（図１１）を検索し（ステップＳ７０１）、当該受診者ＩＤに対応する過去の健診結果を該メモリから読出し取得する（ステップＳ７０２）。  
【０１２７】
ここで、過去の健診結果は、図４のステップＳ４０２で選択されたメニュー（健診科目ＩＤ）に対応するデータ（過去の健診結果）のみを読出し取得する。即ち、例えば、ステップＳ４０２で選択されたメニューが「身長・体重」で、ステップＳ５０３で受信した受診者ＩＤが「１」であった場合、図１１に示す受診者ＩＤが「１」で、健診科目が「身長・体重」の「１６０」のみをメモリから読出し取得する。  
【０１２８】
そして、取得した健診結果を過去の健診結果として、健診端末Ａ１１１のディスプレイ２０５に表示して（図１８、ステップＳ７０３）、本処理を終了する。  
【０１２９】
図７の過去健診情報表示処理によれば、記憶容量が小さい携帯記録媒体が用いられた場合でも、今回の健診結果と過去の健診結果との比較が必要な所定の健診科目で、今回の健診結果と過去の健診結果とを表示させることができ、受診の際に、受診者の健康状態が注意すべき状態か否かを受診者又は測定者に把握させることができる。  
【０１３０】
図２５は、図５におけるステップＳ５１７の警告処理の手順を示すフローチャートである。  
【０１３１】
図２５において、まず、受信した検査データ（健診結果）が図４のステップＳ４０９で取得した第１の閾値の範囲内か否かを判別し（ステップＳ８０１）、第１の閾値の範囲内でないときは（ステップＳ８０１でＮＯ）、健診機器Ａ１１０にエラーが生じている旨を警告する警告画面をディスプレイ２０５に表示する（ステップＳ８０２）。  
【０１３２】
ステップＳ８０１の判別の結果、第１の閾値の範囲内であるときは（ステップＳ８０１でＹＥＳ）、検査データ（健診結果）が図４のステップＳ４０３で取得した第２の閾値を超えるか否かを判別し（ステップＳ８０３）、第２の閾値を超えるときは（ステップＳ８０３でＹＥＳ）、病気である旨を警告する警告画面をディスプレイ２０５に表示する（ステップＳ８０４）。  
【０１３３】
ステップＳ８０３の判別の結果、第２の閾値を超えないときは（ステップＳ８０３でＮＯ）、過去の健診結果を図７のステップＳ７０２で取得しているか否かを判別する（ステップＳ８０５）。  
【０１３４】
ステップＳ８０５の判別の結果、過去の検健診結果を取得しているときは（ステップＳ８０５でＹＥＳ）、今回の検査データ（健診結果）と過去の健診結果との差を算出し（ステップＳ８０６）、当該算出された値（差）が図４のステップＳ４０３で取得した第３の閾値を超えるか否かを判別し（ステップＳ８０７）、第３の閾値を超えるときは（ステップＳ８０７でＹＥＳ）、病気の疑いがある旨を警告する警告画面をディスプレイ２０５に表示する（ステップＳ８０８）。  
【０１３５】
ステップＳ８０２で警告画面を表示した後、ステップＳ８０５の判別の結果、過去の健診結果を取得していないとき（ステップＳ８０５でＮＯ）、ステップＳ８０７の判別の結果、第３の閾値を超えないとき（ステップＳ８０７でＮＯ）、並びにステップＳ８０８で警告画面を表示した後に、本処理を終了する。  
【０１３６】
図２５の警告処理によれば、受診した検査データ（健診結果）が第２の閾値を超えるときは（ステップＳ８０３でＹＥＳ）、病気である旨を警告する警告画面をディスプレイ２０５に表示し（ステップＳ８０４）、今回の検査データ（健診結果）と過去の健診結果との差が第３の閾値を超えるときは（ステップＳ８０７でＹＥＳ）、病気の疑いがある旨を警告する警告画面をディスプレイ２０５に表示する（ステップＳ８０８）ので、受診の際に、受診者の健康状態が注意すべき状態か否かを受診者又は測定者に把握させることができる。さらに、受信した検査データ（健診結果）が第１の閾値の範囲内でないときは（ステップＳ８０１でＮＯ）、健診機器Ａ１１０にエラーが生じている旨を警告する警告画面をディスプレイ２０５に表示する（ステップＳ８０２）ので、健診機器から取得した測定値が、健診機器で測定可能な範囲内の数値でない異常値であっても、このような異常値が測定値として携帯可能な記録媒体に記録されるのを防止することができる。  
【０１３７】
図１９は、図５におけるステップＳ５２０の再健診状況表示処理の手順を示すフローチャートである。  
【０１３８】
図１９において、まず、健診工程端末Ａ１１１のＣＰＵ２０１は、図１９の画面において途中ボタンが押下されたか否かを判別する（ステップＳ１９０１）。なお、図１９の画面における途中ボタンは、受診者の体調等の問題により、当日中に再検査が必要と判断された場合に押下される。  
【０１３９】
ステップＳ１９０１の判別の結果、途中ボタンが押下されたときは（ステップＳ１９０１でＹＥＳ）、現在の健診項目に「＊」を表示して（ステップＳ１９０２）、本処理を終了する。  
【０１４０】
ステップＳ１９０１の判別の結果、途中ボタンが押下されないときは（ステップＳ１９０１でＮＯ）、図１９の画面において対象外ボタンが押下されたか否かを判別する（ステップＳ１９０３）。なお、図１９の画面における対象外ボタンは、後日に再検査が必要と判断された場合に押下される。  
【０１４１】
ステップＳ１９０３の判別の結果、対象外ボタンが押下されたときは（ステップＳ１９０３でＹＥＳ）、現在の健診項目に「‐」を表示して（ステップＳ１９０４）、本処理を終了する。  
【０１４２】
ステップＳ１９０３の判別の結果、対象外ボタンが押下されないときは（ステップＳ１９０３でＮＯ）、そのまま本処理を終了する。  
【０１４３】
次に、図１における管理端末が実行する回収処理について説明する。  
【０１４４】
図９は、図１における管理端末が実行する回収処理の手順を示すフローチャートである。なお、本処理は、管理端末１５０のＣＰＵ２０１がメモリ２０２に記憶されるプログラムを読み出して実行することにより実現される（即ち、管理端末１５０のＣＰＵ２０１の制御の元で実行される）処理に対応する。なお、健診の開始に先立って健診テーブル（図１０）を、ＵＳＢメモリ等の手段で外部から読込んで、管理端末１５０のメモリ２０２に記憶しておくものとする。また、上記健診テーブル（図１０）は、全受診予定者の健診予定情報であり、各健診科目の各健診結果が記録されている。  
【０１４５】
図９において、まず、管理端末１５０のＣＰＵ２０１は、ディスプレイ２０５（タッチパネルを兼ねる）やリーダ／ライタ２０７への操作を判定し、管理端末１５０のリーダ／ライタ２０７にカード（記録媒体１６０）がタッチされると（ステップＳ９０１）、管理端末１５０のＣＰＵ２０１は、リーダ／ライタ２０７を介して記録媒体１６０に対して当該記録媒体１６０に記録されている受診者情報及び全ての健診結果（図１２）の読取要求を送信する（ステップＳ９０２）。当該読取要求を受信した記録媒体１６０のコントローラは、受診者情報及び健診結果（図１２）を管理端末１５０のリーダ／ライタ２０７に送信する。  
【０１４６】
次いで、管理端末１５０のＣＰＵ２０１は、管理端末１５０のリーダ／ライタ２０７を介して一人分の受診者情報及び全健診科目の健診結果（図１２）を記憶媒体１６０から取得すると（ステップＳ９０３）、管理端末１５０のメモリ２０２のワークエリアに記憶する（ステップＳ９０４）。  
【０１４７】
次いで、管理端末１５０のＣＰＵ２０１は、メモリ２０２に記憶される健診テーブル（図１０）と上記一人分の健診結果を照合する（ステップＳ９０５）。具体的には、記録媒体１６０から取得した受診者ＩＤと一致する、健診テーブルの受診者ＩＤのあるレコードを検索して特定する。  
【０１４８】
次いで、特定されたレコードの各健診科目毎に、受診しなければならないのにも関わらず受診していない健診科目があるか否かを判別する（ステップＳ９０６）
。具体的には、ステップＳ９０５で特定されたレコードで受診予定の識別情報（「○」）が記憶された健診科目に対して、ステップＳ９０３で記録媒体１６０から取得した当該健診科目に対応した健診結果として、未受診であることを示す識別情報（「×」）又は当日中に受診しなければならないことを示す識別情報（「＊」）があるか否かを判別する。  
【０１４９】
ステップＳ９０６の判別の結果、未受診であることを示す識別情報（「×」）又は当日中に受診しなければならないことを示す識別情報（「＊」）がある場合（ステップＳ９０６でＹＥＳ）、エラーメッセージを管理端末１５０のディスプレイ２０５に表示し（ステップＳ９１６）、未受診であることを示す識別情報（「×」）又は当日中に受診しなければならないことを示す識別情報（「＊」）がない場合（ステップＳ９０６でＮＯ）、ステップＳ９０７の処理に進む。  
【０１５０】
次いで、管理端末１５０のＣＰＵ２０１は、管理端末１５０のディスプレイ２０５に図２０に示すような検査結果及び判定結果画面（図２０）を表示する（ステップＳ９０７）。図２０は、管理端末１５０の回収処理プログラム画面の一例である。管理端末１５０のＣＰＵ２０１は、図２０の画面において、受信した受診者情報に基づいて受診者ＩＤや氏名２１０、性別や年齢を表示し、ステップＳ９０６の判定結果に基づいて未検査や未通過や検査済や受付済や後日受診（後日受診しなければならない）や当日受診（当日中に受診しなければならない）の区分を表示する。なお、図２０に示す画面では、血液検査の結果２１２が未受付であること、聴力検査の結果２１１が受付済であること等を示している。  
【０１５１】
図９に戻り、管理端末１５０のＣＰＵ２０１は、図２０の画面の各ボタン（リスト印刷ボタン２１３、表示切替ボタン２１４、印刷ボタン２１５、登録ボタン２１６）のタッチを検知し（操作判定し）、表示切替ボタン２１４が押下（タッチ）されたか否かを判別し（ステップＳ９０８）、表示切替ボタン２１４が押下されたときは（ステップＳ９０８でＹＥＳ）、管理端末１５０のＣＰＵ２０１は、図２０の初期画面がディスプレイ２０５に表示されていた場合は図２１の健診データ明細表示画面に表示を切替え、図２１の健診データ明細表示画面が表示されていた場合は図２１の初期画面に表示を切替え（ステップＳ９０９）、処理をステップＳ９０８に戻す。  
【０１５２】
ステップＳ９０８の判別の結果、表示切替ボタン２１４が押下されないときは（ステップＳ９０８でＮＯ）、印刷ボタン２１５が押下（タッチ）されたか否かを判別し（ステップＳ９１０）、印刷ボタン２１５が押下されたときは（ステップＳ９１０でＹＥＳ）、管理端末１５０のＣＰＵ２０１は、メモリ２０２に記憶した受診者情報及び検査結果に基づいて、受診者個人用の結果リストを印刷し（ステップＳ９１１）、処理をステップＳ９０８に戻す。  
【０１５３】
ステップＳ９１０の判別の結果、印刷ボタン２１５が押下されないときは（ステップＳ９１０でＮＯ）、登録ボタン２１６が押下（タッチ）されたか否かを判別し（ステップＳ９１２）、登録ボタン２１６が押下されないときは（ステップＳ９１２でＮＯ）、処理をステップＳ９０８に戻す。  
【０１５４】
ステップＳ９１２の判別の結果、登録ボタン２１６が押下されたときは（ステップＳ２１２でＹＥＳ）、管理端末１５０のＣＰＵ２０１は、ステップＳ９０６における各検査データの検査漏れの判定結果に基づいて、検査漏れ、未受付、その他の異常データがあるか否かを判別し（ステップＳ９１３）、検査漏れ、未受付、その他の異常データがあるときは（ステップＳ９１３でＹＥＳ）、管理端末１５０のＣＰＵ２０１は、管理端末１５０の不図示のスピーカから警告音を出力し、管理端末１５０のディスプレイ２０５に検査漏れ、未受付、その他の異常データがある健診科目の名称と受診者ＩＤ及び氏名、再度該当の健診科目に行くように促すメッセージを表示し（ステップＳ９１４）、処理をステップＳ９１５に進める。  
【０１５５】
ステップＳ９１３の判別の結果、検査漏れ、未受付、その他の異常データがないときは（ステップＳ９１３でＮＯ）、管理端末１５０のＣＰＵ２０１は、健診結果ファイルに１人分の健診結果及び通過記録データを記憶して（ステップＳ９１５）、本処理を終了する。  なお、図９の回収処理では、健診結果ファイルの検査漏れ、未受付、その他の異常データがある場合は、管理端末１５０のＣＰＵ２０１は、管理端末１５０のメモリ２０２内の健診未完了フラグをオンにして記憶しておくように構成してもよい。  
【０１５６】
図４の制御処理によれば、操作者が選択したメニューに対応する処理プログラムが実行されて、所望の健診科目における処理を実行できる。図５では、図１７に示す健診システムメニューで「１．視力検査」ボタン１７１が押下された場合について説明したが、ここでは、健診システムメニューで、例えば「１７．心電図・腹囲」ボタンが押下された場合について説明する。  
【０１５７】
以下に、図２６及び図２７を用いて、本実施の形態に係る健診情報処理システムが実行する健診情報処理について説明する。  
【０１５８】
図２６及び図２７は、本実施の形態に係る健診情報処理システムが実行する健診情報処理の手順を示すシーケンス図である。なお、図２６及び図２７のステップＳ２６０１及びステップＳ２６０２、ステップＳ２６０４乃至ステップＳ２６２０、ステップＳ２７０１乃至ステップＳ２７１１は各健診端末のＣＰＵ２０１がメモリ２０２に記憶される、健診科目（心電図・腹囲）の処理プログラムを読み出して実行することにより実現される。また、ステップＳ２６２１及びステップＳ２６２２は各健診機器のＣＰＵ２０１がメモリ２０２に記憶されるプログラムを読み出して実行することにより実現される。  
【０１５９】
以下、健診端末Ｄ１１８、健診機器Ｄ１１６及び健診機器Ｅ１１７で実行されるものとして説明する。  
【０１６０】
また、以下では、図１７に示す健診システムメニューで「１７．心電図・腹囲」ボタンが押下され、図２８に示す心電図・腹囲測定用の画面が健診端末Ｄ１１８のディスプレイ２０５に表示される場合について説明する。  
【０１６１】
図２６において、まず、健診端末Ｄ１１８のＣＰＵ２０１は、健診端末Ｄ１１８のリーダ／ライタ２０７にカード（記録媒体１６０）がかざされた（タッチされた）ことを判定する（ステップＳ２６０１）。  
【０１６２】
記録媒体１６０がリーダ／ライタ２０７にタッチされたことを判定すると、健診端末Ｄ１１８のＣＰＵ２０１は、リーダ／ライタ２０７を介して記録媒体１６０に対して、ステップＳ４０３で取得した健診科目ＩＤに対応する前回の健診結果（健診情報）と健診予定情報と健診経過情報と今回受診した健診結果（健診情報）を読み出す処理を行う（ステップＳ２６０２，２６０３）。  
【０１６３】
具体的には、健診端末Ｄ１１８のＣＰＵ２０１は、まず、ステップＳ４０３で取得した健診科目ＩＤを記録媒体１６０に送信すると共に、当該健診科目ＩＤに対応する前回の健診結果（健診情報）と健診予定情報と健診経過情報と今回受診した健診結果（健診情報）の読取要求を、記録媒体１６０に対して行う（ステップＳ２６０２）。  
【０１６４】
そして、健診端末Ｄ１１８のＣＰＵ２０１は、記録媒体１６０から、受診者情報と、当該健診科目ＩＤに対応する前回の健診結果（健診情報）と、健診予定情報と、健診経過情報と、今回受診した健診結果（健診情報）とを読み込む（ステップＳ２６０３）。  
【０１６５】
ここで、ステップＳ４０２で選択された健診科目に対応する健診科目ＩＤを、図１４又は図１５に示す関連付け情報ファイルから読み出し、図１３に記憶された当該健診科目ＩＤに紐付けられた前回の健診結果を取得する。ここでは、心電図と腹囲とが選択されているため、心電図と腹囲の前回の健診結果を取得する。  
【０１６６】
また、ステップＳ２６０２とステップＳ２６０３では、今回の健診で受診した他の健診科目の健診結果（健診情報）を携帯記録媒体から取得している。今回受診した全ての健診科目の健診情報を取得してもよいが、健診科目に対応する所定の健診科目の健診情報のみを取得しても良い。例えば、測定した心電図の診察を行うために必要な「身長」、「体重」、「血圧（上：下）」のみを健診結果として取得してもよい。この場合、どの健診科目の健診情報を取得するかは、予め健診端末に記憶されており、図１７で選択される健診科目に対応して、取得する健診科目が設定されている。  
【０１６７】
次いで、健診端末Ｄ１１８のＣＰＵ２０１は、ステップＳ２６０４で受診者情報（受診者ＩＤ、性別、氏名など）を記録媒体１６０から取得できたか否かを判別し（ステップＳ２６０４）、受診者ＩＤ、性別、氏名の何れか１つを取得できなかったと判別した場合は（ステップＳ２６０４でＮＯ）、エラーメッセージ（警告画面）を表示して（ステップＳ２６０５）、ステップＳ２６０１の処理へ戻り、再度、記録媒体１６０の読込みを待機する。  
【０１６８】
また、健診端末Ｄ１１８のＣＰＵ２０１は、全ての受診者情報（受診者ＩＤ、性別、氏名）を取得できたと判別した場合は（ステップＳ２６０４でＹＥＳ）、Ｓ２６０３で取得した健診経過情報から心電図の健診を受診している（受診済み）か否かを判定する（ステップＳ２６０６）。  
【０１６９】
すなわち、健診科目ＩＤが「Ｎ」である心電図の健診経過情報が「○」（受診済み）であるか否かを判定する。心電図の健診経過情報が「○」（受診済み）であると判定された場合は（ステップＳ２６０６：ＹＥＳ）、受診済みである旨を健診端末Ｄ１１８のディスプレイ２０５に表示する（ステップＳ２６０７）。一方、心電図の健診経過情報が「‐」（後日再受診が必要）、「＊」（当日再受診が必要）、「×」（未受診）のいずれかであると判定された場合は（ステップＳ２６０６：ＮＯ）、処理をステップＳ２６０８に移行する。  
【０１７０】
ステップＳ２６０８では、ステップＳ２６０３で取得した健診予定情報から、心電図を受診予定か否かを判定する。すなわち、ステップＳ２６０３で携帯記録媒体から取得した心電図の健診予定情報が「○」（受診予定）か「×」（受診を予定していない）かを判定する。  
【０１７１】
そして、心電図の健診予定情報が「○」（受診予定）であると判定された場合は（ステップＳ２６０８：ＹＥＳ）、図２８に示す心電図・腹囲の画面を、健診端末Ｄ１１８のディスプレイ２０５に表示する（ステップＳ２６１２）。一方、心電図の健診予定情報が「×」（受診を予定していない）であると判定された場合は（ステップＳ２６０８：ＮＯ）、不図示の予定外受診の指示受付画面を、健診端末Ｄ１１８のディスプレイ２０５に表示する（ステップＳ２６０９）。ここで、予定外受診の指示受付画面とは、心電図の受診は予定されていないが、受診者の要望に応じて心電図を受診させるか否かの指示を受け付ける画面である。すなわち、心電図の受診は予定されていないが受診者が受診を希望する場合は、予定外受診の指示受付画面に表示される不図示の受診ボタンを押下することにより、心電図の受診を可能にさせることができる。  
【０１７２】
ステップＳ２６１０では、予定外受診の指示受付画面に表示される不図示の受診ボタンが押下されたか否かを判定し、押下された場合は、処理をステップＳ２６１２に移行する。一方、予定外受診の指示受付画面に表示される、受診しないことを示す不図示の非受診ボタンが押下された場合は（ステップＳ２６１０：ＮＯ）、処理をステップＳ２６１１に移行する。  
【０１７３】
ステップＳ２６１１では、非受診ボタンが押下された場合（ステップＳ２６１０：ＮＯ）又はステップＳ２６０７の処理を行った後に、心電図の健診科目について受診済みであることを示す受診済みフラグ（識別情報）を設定し、処理をステップＳ２６１２に移行する。  
【０１７４】
ステップＳ２６１２では、上述したように、図２８に示す心電図・腹囲の健診画面を、健診端末Ｄ１１８のディスプレイ２０５に表示する。  
【０１７５】
次に、ステップＳ２６０３で取得した受診者情報
を健診端末Ｄ１１８のディスプレイ２０５に表示する（ステップＳ２６１３）。表示画面の一例を図２８に示す。図２８の表示画面の「ＩＤ」の部分に、受診者ＩＤが表示され、「氏名」の部分には、受診者の氏名が表示される。また、性別は、受診者ＩＤの右に表示されている。  
【０１７６】
次いで、上述した図６の健診状況表示処理を実行して、健診状況を表示する（ステップＳ２６１４）。図５では、ステップＳ５０３で取得した健診予定情報と健診経過情報を用いて処理を実行したが、ステップＳ２６１４では、ステップＳ２６０３で取得した健診予定情報と健診経過情報を用いて処理を行う。  
【０１７７】
次に、健診端末Ｄ１１８のＣＰＵ２０１は、記録媒体１０６に記憶されている、ステップＳ４０３で取得した健診科目ＩＤに対応する前回の健診結果を取得できたか否かの判別を行う（ステップＳ２６１５）。そして、取得できたと判別した場合は（ステップＳ２６１５でＹＥＳ）、取得した当該健診科目の前回の健診結果を健診端末Ｄ１１８のディスプレイ２０５（表示部）に表示する（ステップＳ２６１７）。  
【０１７８】
一方、取得できなかった場合は（ステップＳ２６１５でＮＯ）、上述した図７の過去健診情報表示処理を実行する（ステップＳ２６１６）。  
【０１７９】
そして、過去の健診結果を表示し（ステップＳ２６１７）、健診機器Ｄ１１６からの検査データ（今回の健診での検査結果：健診情報）の入力を受け付け待ち状態となる（ステップＳ２６１８）。  
【０１８０】
一方、健診機器Ａ１１０は、検査データの計測（例えば腹囲の計測）を実行し（ステップＳ２６２１）、計測が終了した後に、健診機器Ｄ１１６の表示部に表示された送信ボタン（図示しない）が測定者により押下されたことを認識すると（ステップＳ２６２２）、健診機器Ｄ１１６は、検査データ（健診結果である健診情報）を健診端末Ｄ１１８に送信する（ステップＳ２６２３）。  
【０１８１】
そして、健診機器Ｄ１１６は、検査データを正常に送信し終わると、検査データを健診機器Ｄ１１６のメモリ（図示しない）内の保存エリアに記憶すると共に、メモリのワークエリア中の最新の検査データ（表示用及び送信用の検査データ）をクリアして、次の計測開始を待つように制御する。  
【０１８２】
なお、健診機器Ｄ１１６は、ステップＳ２６２３において検査データの送信が正常に終了しなかった場合は、タイムアウトになるまで検査データを再送し、タイムアウトになった場合は、当該健診機器Ｄ１１６のディスプレイ（図示しない）にエラーメッセージ（警告画面）を表示する。  
【０１８３】
次いで、健診端末Ｄ１１８のＣＰＵ２０１は、健診機器Ｄ１１６から送信された検査データ（健診結果）を受信（取得）すると（ステップＳ２６１９）、上述した図２５の警告処理を実行する（ステップＳ２６２０）。  
【０１８４】
続いて、図２６のシーケンス図の続きの処理を図２７のシーケンス図を用いて説明する。  
【０１８５】
即ち、健診端末は、図２６に示すステップＳ２６２０の処理を実行した後、図２７に示すステップＳ２７０１の処理を実行する。なお、図２６に示した健診機器は、腹囲計測器で説明したが、図２７に示す健診機器は、心電図計測器（健診機器Ｅ１１７）で説明する。  
【０１８６】
健診端末Ｄ１１８のＣＰＵ２０１は、健診機器Ｄ１１８から受信した検査データ（健診結果）を健診端末Ｄ１１８のメモリ２０２内のワークエリアに記憶し（ステップ２７０１）、健診端末Ｄ１１８のディスプレイ２０５に当該健診結果を表示する（ステップＳ２７０２）。図２８の例では、腹囲が「７５．５（ｃｍ）」であることを表示している。また、図２８の画面では途中ボタンと対象外ボタンとが表示される。  
【０１８７】
次いで、健診端末Ｄ１１８のＣＰＵ２０１は、上述した図１９の再健診状況表示処理を実行して、健診状況の表示を行う（ステップＳ２７０３）。  
【０１８８】
そして、Ｓ２７０３で健診状況の表示を行った後、図２８の健診画面の登録ボタンを押下（選択）可能に制御する（ステップＳ２７０４）。  
【０１８９】
そして、測定者により登録ボタンが押下された場合（ステップＳ２７０５：ＹＥＳ）、ステップＳ２６１１での受診済みフラグが設定されているか否かを判定する（ステップＳ２７０６）。そして、当該受診済みフラグが設定されていると判定された場合は（ステップＳ２７０６：ＹＥＳ）、ステップＳ２６１９で入力された健診情報（検査データ）と、腹囲が受診済みであることを示す健診経過情報（「○」）を携帯記録媒体に記録させるべく送信する（ステップＳ２７１１）。  
【０１９０】
一方、受診済みフラグが設定されていないと判定された場合は（ステップＳ２７０６：ＮＯ）、心電図を計測する健診機器Ｅ１１７に送信すべき、今回受診した他の健診科目の健診結果（健診情報）を全て取得しているか否かを判定する（ステップＳ２７０７）。  
【０１９１】
具体的には、携帯端末のメモリ２０２に、操作者が選択したメニュー（健診科目）に対応する処理プログラムに対応して健診機器に送信すべき、今回受診した他の健診科目の健診結果（健診情報）（例えば、図２９）が記憶されており、ステップＳ２６０３及びステップＳ２６１９で、当該記憶された健診機器Ｅ１１７に送信すべき全ての健診科目の健診情報を取得出来たか否かを判定する。  
【０１９２】
図２９は、健診機器に対応して、当該健診機器に送信すべき、今回受診した他の健診科目の健診結果（健診情報）を示すテーブルである。  
【０１９３】
すなわち、健診機器Ａには、今回受診した他の健診科目の健診結果（健診情報）を送信する必要は無いが、健診機器Ｂには、健診を行う前に、「腹囲」、「身長」、「体重」、「血圧（上）」の健診結果を送信しないといけないことを示している。  
【０１９４】
次に、ステップＳ２６０３及びステップＳ２６１９で、健診機器Ｅ１１７に送信すべき全ての健診科目の健診情報を取得できていないと判定された場合は（ステップＳ２７０７：ＮＯ）、エラー画面などの警告画面を表示し、ステップＳ２７０９に処理を移行する。  
【０１９５】
一方、ステップＳ２７０７で健診機器Ｅ１１７に送信すべき全ての健診科目の健診情報を取得できたと判定された場合は（ステップＳ２７０７：ＹＥＳ）、ステップＳ２７０９で、ステップＳ２６０３で取得した受診者情報と、健診機器に送信すべき他の健診科目の健診情報を送信する（ステップＳ２７０９）。  
【０１９６】
ここで、携帯端末のメモリ２０２に記憶された、健診機器に送信すべき今回受診した他の健診科目の健診結果（健診情報）の中には、健診機器Ａ（腹囲）での検査データが含まれている。  
【０１９７】
このとき、健診機器Ｅ１１７は、携帯端末からの当該受診者情報や当該健診情報の受信待ち状態であり（ステップＳ２７１２）、携帯端末から、ステップＳ２６０３で取得した受診者情報と、健診機器に送信すべき他の健診科目の健診情報とを受信すると、当該受信者情報と健診情報とを健診機器のメモリに記憶し（ステップＳ２７１３）、健診機器Ｅ１１７（心電図）での検査データを計測する（ステップＳ２７１４）。  
【０１９８】
そして、健診機器Ｅ１１７は、ステップＳ２７１５で計測された検査データを健診端末に送信する。そして、ステップＳ２７１５で計測された検査データと、ステップＳ２７１３で記憶された受信者情報と、他の健診科目の健診情報を含むデータを出力する。ここで出力とは、健診機器Ｅ１１７に備え付けられたディスプレイやプリンタなどから映像又は紙等として出力することを示している。  
【０１９９】
携帯端末のＣＰＵ２０１は、ステップＳ２７１４で計測された健診情報を健診機器Ｅ１１７から受信（取得）すると、ステップＳ２６１９で入力された健診情報（検査データ）と、健診機器Ａ（腹囲）の健診科目が受診済みであることを示す健診経過情報（「○」）と、ステップＳ２７１４で計測された健診情報と、健診機器Ｅ１１７心電図）の健診科目が受診済みであることを示す健診経過情報（「○」）と携帯記録媒体に記録させるべく送信する（ステップＳ２７１０）。  
【０２００】
次いで、記録媒体１６０のコントローラは、健診端末Ｄ１１８のリーダ／ライタ２０７を介して当該データを受信すると、受信した健診結果又は／及び健診経過情報を記録媒体１６０内の記録部に書込む（記録する）（ステップＳ２７１７）。  
【０２０１】
以上により、受診者が持ち運ぶ記録媒体１６０に、当該受診者の検査データ（健診結果）（例えば、腹囲の健診情報、心電図の健診情報）と、健診経過情報が記録されることになる。  
【０２０２】
上述した本実施の形態では、ディスプレイ２０５をタッチパネル付きのディスプレイとして説明したが、ディスプレイ２０５を通常のディスプレイとし、マウス等のポインティングデバイスを設けて入力を行うように構成してもよい。  
【０２０３】
また、上述した各種データの構成及びその内容はこれに限定されるものではなく、用途や目的に応じて、様々な構成や内容で構成されてもよい。  
【０２０４】
また、本発明は、例えば、システム、装置、方法、プログラム若しくは記録媒体等としての実施の態様をとることが可能であり、具体的には、複数の機器から構成されるシステムに適用してもよく、一つの機器からなる装置に適用してもよい。  
【０２０５】
上述したように、図１に示した健診端末は、メモリ２０２に、図１４、図１５に示した関連付情報ファイル、各健診機器とのインタフェース設定、各処理プログラム、及び各健診機器の設定情報を少なくとも記憶する。そして、健診端末のＣＰＵ２０２は、図１７に示した各健診メニューのいずれかの選択に応じて、上記健診機器の設定情報と上記処理プログラムとをメモリ２０２から読み出して実行する。  
【０２０６】
また、管理端末１５０は、メモリ２０２に健診情報（各健診科目の各健診データ及び通過記録データのフォーマットを含む）を記憶する。また、管理端末１５０のＣＰＵ２０１は、記録媒体１６０から受診者ＩＤと、上記健診データを読み出し、上記フォーマットと上記健診データとに基づいて検査洩れの有無を判定し、検査漏れがあると判定した場合に、検査漏れと判定した健診科目の健診データ復旧の要否を上記フォーマットに基づいて判定する（図９）。  
【０２０７】
また、健診端末のＣＰＵ２０１は、メモリ２０２に各健診科目別の各健診機器別の設定情報を記憶し、上記処理プログラム（図５）は、上記各メニューを選択した場合に当該選択した健診科目における複数の健診機器から１つを選択させて、当該選択された健診機器に関連付けられた設定情報を読み出して処理を実行する。  
【０２０８】
以上の構成により、複数の処理プログラムを健診端末のメモリ２０２に記憶してメニューの選択に応じて所定の健診機器の設定を読み込んで対応する処理プログラムを健診端末のＣＰＵ２０１で実行するので、現有する様々な種類の健診機器及び様々な外部インタフェースに柔軟に対応可能で健診時の準備工数を大幅に削減可能な仕組みを提供することができる。  
【０２０９】
また、検査終了時点での検査洩れの有無を判断し画面に警告を表示するので検査漏れが生じない仕組みを提供する。  
【０２１０】
また、検査中においてどこの検査を受けなければ、ならないかを把握することができる仕組みを提供する。  
【０２１１】
また、健診機器や端末の不調にも迅速に対応可能な仕組みを提供する。  
【０２１２】
なお、特に図示しないが、本発明に係る装置で読み取り可能な各種プログラムやデータを格納する記録媒体（記憶媒体）には、該記録媒体に記憶されるプログラム群を管理する情報、例えばバージョン情報、作成者等も記憶され、且つプログラム読み出し側のＯＳ等に依存する情報、例えばプログラムを識別表示するアイコン等も記憶される場合もある。  
【０２１３】
さらに、各種プログラムに従属するデータも上記ディレクトリに管理されている。また、インストールするプログラムやデータが圧縮されている場合に、解凍するプログラム等も記憶される場合もある。  
【０２１４】
本実施の形態における各フローチャート、及び画面に示す機能が外部からインスト
ールされるプログラムによって、ホストコンピュータにより遂行されていてもよい。そして、その場合、不図示のＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。  
【０２１５】
以上のように、前述した実施の形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。  
【０２１６】
この場合、記録媒体から読み出されたプログラムコード自体が本発明の新規な機能を実現することになり、そのプログラムコードを記憶した記録媒体は本発明を構成することになる。  
【０２１７】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。  
【０２１８】
また、コンピュータが読み出したプログラムコードを実行することにより、前述した実施の形態の機能が実現されるだけでなく、そのプログラムコードの指示に基づき、コンピュータ上で稼働しているＯＳ（オペレーティングシステム）等が実際の処理の一部または全部を行い、その処理によって前述した実施の形態の機能が実現される場合も含まれることは言うまでもない。  
【０２１９】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。  
【０２２０】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。  
【０２２１】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【図面の簡単な説明】
【０２２２】
【図１】本発明の実施の形態に係る健診情報処理システムのシステム構成を示すブロック図である。
【図２】図１における各種端末（受付端末、各健診端末、管理端末）のハードウェア構成を示すブロック図である。
【図３】図１における受付端末が実行する受付処理の手順を示すフローチャートである。
【図４】図１における各健診端末が実行する制御処理の手順を示すフローチャートである。
【図５】本実施の形態に係る健診情報処理システムが実行する健診情報処理の手順を示すシーケンス図である。
【図６】図５におけるステップＳ５０７の健診状況表示処理の手順を示すフローチャートである。
【図７】図５におけるステップＳ５０９の過去健診情報表示処理の手順を示すフローチャートである。
【図８】図３におけるステップＳ３０９で受付端末から携帯記録媒体に記憶されるテーブルの一例である。
【図９】図１における管理端末が実行する回収処理の手順を示すフローチャートである。
【図１０】受付端末のメモリに記憶された健診テーブルの一例である。
【図１１】受付端末のメモリに記憶された過去健診テーブルの一例である。
【図１２】携帯記録媒体に記憶されるテーブルの一例である。
【図１３】図３におけるステップＳ３０９で受付端末から携帯記録媒体に記憶されたテーブルの一例である。
【図１４】関連付情報ファイルの一例である。
【図１５】関連付情報ファイルの他の例である。
【図１６】受付端末の受付入力画面の一例である。
【図１７】健診端末の初期メニュー画面の一例である。
【図１８】健診端末の処理プログラム画面の一例である。
【図１９】図５におけるステップＳ５２０の再健診状況表示処理の手順を示すフローチャートである。
【図２０】管理端末の回収処理プログラム画面の一例である。
【図２１】管理端末の健診データ明細表示画面の一例である。
【図２２】図４のステップＳ４０９で取得される第１の閾値の一例を説明するためのテーブルである。
【図２３】図４のステップＳ４０３で取得される第２の閾値の一例を説明するためのテーブルである。
【図２４】図４のステップＳ４０３で取得される第３の閾値の一例を説明するためのテーブルである。
【図２５】図５におけるステップＳ５１７の警告処理の手順を示すフローチャートである。
【図２６】本実施の形態に係る健診情報処理システムが実行する健診情報処理の手順を示すシーケンス図である。
【図２７】本実施の形態に係る健診情報処理システムが実行する健診情報処理の手順を示すシーケンス図である。
【図２８】健診端末の処理プログラム画面の一例である。
【図２９】健診端末に記憶されている、健診機器に対応して、当該健診機器に送信すべき、今回受診した他の健診科目を示すテーブルの一例である。
【符号の説明】
【０２２３】
１００  受付端末１１０  健診機器Ａ１１１  健診端末Ａ１５０  管理端末１６０  記録媒体（携帯記録媒体）２０１  ＣＰＵ２０２  メモリ２０５  ディスプレイ２０７  リーダ／ライタ